(57)【要約】      （修正有）【課題】第１のデバイスと第２のデバイスの間の通信において、第２のデバイスのビーム形成プロファイルを決定する方法、装置を提供する。【解決手段】第１のデバイスから複数のクアジオムニパケットを、各クアジオムニパケットが特有のクアジオムニパターンで送信することと、第１のデバイスから複数のプリアンブルを、各プリアンブルが複数の指向性のパターンの１つで送信することとを含み、第２のデバイスにおいて、複数のクアジオムニパケットおよび複数のプリアンブルがビーム形成プロファイルを決定するために使用されており、第１のデバイスにおいて、複数の指向性のパターンを用いて第２のデバイスから送信されるプリアンブルをモニタすることによって複数の方向から好ましい方向を識別することと、第２のデバイスに好ましい方向をフィードバックすること、とを含む。【選択図】図１７
2014112894.tif 000002
【特許請求の範囲】
【請求項１】
複数のクアジオムニパケットおよび複数のプリアンブルが、ビーム形成プロファイルを決定するために使用されており、
各クアジオムニパケットが特有のクアジオムニパターンで送信されている前記複数のクアジオムニパケットを、第１のデバイスから送信することと、
各プリアンブルが複数の指向性のパターンの１つで送信されている前記複数のプリアンブルを、前記第１のデバイスから送信することとを具備する通信の方法。
【請求項２】
前記複数の指向性のパターンは、１つの特有のクアジオムニパターンに基づいている請求項１記載の方法。
【請求項３】
前記１つの特有のクアジオムニパターンは、
少なくとも１つのクアジオムニパケットを受信している第２のデバイスによって識別される請求項２記載の方法。
【請求項４】
各クアジオムニパターンは、
各指向性のパターンのカバレージよりも広いカバレージを有する請求項１記載の方法。
【請求項５】
各クアジオムニパターンは、
複数のセクタの１つと、
複数の方向の１つと、
交換アンテナアレイの複数のパターンの１つとの少なくとも１つを具備する請求項１記載の方法。
【請求項６】
前記複数のクアジオムニパケットの少なくとも１つは、
ビーコンを具備する請求項１記載の方法。
【請求項７】
要求されたパターンが、
選択されたクアジオムニパターンと、選択された指向性のパターンとの少なくとも１つを具備しており、前記要求されたパターンを具備する第２のデバイスから関係付け要求を受信することと、
前記要求されたパターンに基づいて、前記第２のデバイスに対する全ての将来の通信を送信することとをさらに具備する請求項１記載の方法。
【請求項８】
前記要求されたパターンは、
前記第２のデバイスによって識別されたリンク品質ファクターに基づいて選択される請求項７記載の方法。
【請求項９】
前記リンク品質ファクターは、
信号強さ、信号対雑音比、および信号対雑音干渉比の少なくとも１つに基づいている請求項８記載の方法。
【請求項１０】
前記第１のデバイスで、複数の方向からのプリアンブルをモニタすることと、
前記プリアンブルに基づいて、前記複数の方向の各々に対するリンク品質ファクターを決定することと、
前記リンク品質ファクターに基づいて、前記複数の方向から好ましい方向を識別することと、
前記好ましい方向を具備するフィードバックを送信することとをさらに具備する請求項１記載の方法。
【請求項１１】
前記フィードバックは、
前記好ましい方向に対応するリンク品質ファクターをさらに具備する請求項１０記載の方法。
【請求項１２】
前記リンク品質ファクターは、
信号強さ、信号対雑音比、および信号対雑音干渉比の少なくとも１つに基づいている請求項１０記載の方法。
【請求項１３】
各クアジオムニパケットは、
クアジオムニパケットの少なくとも１つと、
クアジオムニパケットの数と、
クアジオムニ方向の全体の数とを具備する請求項１記載の方法。
【請求項１４】
第１のデバイスから、複数のクアジオムニパターンで送信された複数のクアジオムニパケットの少なくとも１つのクアジオムニパケットを検出することと、
前記第１のデバイスから、指向性のパターンで送信されたプリアンブルを検出することと、
検出されたクアジオムニパターンおよび検出された指向性のパターンの少なくとも１つを具備する好ましいパターンを決定することと、
前記好ましいパターンを具備するフィードバックを、前記第１のデバイスに送信することとを具備する通信の方法。
【請求項１５】
各クアジオムニパケットは、
ビーコンを具備する請求項１４記載の方法。
【請求項１６】
前記検出は、
第２のデバイスの複数のクアジオムニパターンに渡って掃引することを具備する請求項１４記載の方法。
【請求項１７】
前記検出は、
第２のデバイスの複数の指向性のパターンに渡って掃引することを具備する請求項１４記載の方法。
【請求項１８】
複数のクアジオムニパケットおよび複数のプリアンブルが、ビーム形成プロファイルを決定するために使用されており、
各クアジオムニパケットが特有のクアジオムニパターンで送信されている前記複数のクアジオムニパケットを、第１のデバイスから送信する手段と、
各プリアンブルが複数の指向性のパターンの１つで送信されている前記複数のプリアンブルを、前記第１のデバイスから送信する手段とを具備する通信装置。
【請求項１９】
前記複数の指向性のパターンは、１つの特有のクアジオムニパターンに基づいている請求項１８記載の通信装置。
【請求項２０】
前記１つの特有のクアジオムニパターンは、
少なくとも１つのクアジオムニパケットを受信している第２のデバイスによって識別される請求項１９記載の通信装置。
【請求項２１】
各クアジオムニパターンは、
各指向性のパターンのカバレージよりも広いカバレージを有する請求項１８記載の通信装置。
【請求項２２】
各クアジオムニパターンは、
複数のセクタの１つと、
複数の方向の１つと、
交換アンテナアレイの複数のパターンの１つとの少なくとも１つを具備する請求項１８記載の通信装置。
【請求項２３】
前記複数のクアジオムニパケットの少なくとも１つは、
ビーコンを具備する請求項１８記載の通信装置。
【請求項２４】
要求されたパターンが、
選択されたクアジオムニパターンと、選択された指向性のパターンとの少なくとも１つを具備しており、前記要求されたパターンを具備する第２のデバイスから関係付け要求を受信する手段と、
前記要求されたパターンに基づいて、前記第２のデバイスに対する全ての将来の通信を送信する手段とをさらに具備する請求項１８記載の通信装置。
【請求項２５】
前記要求されたパターンは、
前記第２のデバイスによって識別されたリンク品質ファクターに基づいて選択される請求項２４記載の通信装置。
【請求項２６】
前記リンク品質ファクターは、
信号強さ、信号対雑音比、および信号対雑音干渉比の少なくとも１つに基づいている請求項２６記載の通信装置。
【請求項２７】
前記第１のデバイスで、複数の方向からのプリアンブルをモニタする手段と、
前記プリアンブルに基づいて、前記複数の方向の各々に対するリンク品質ファクターを決定する手段と、
前記リンク品質ファクターに基づいて、前記複数の方向から好ましい方向を識別する手段と、
前記好ましい方向を具備するフィードバックを送信する手段とをさらに具備する請求項１８記載の通信装置。
【請求項２８】
前記フィードバックは、
前記好ましい方向に対応するリンク品質ファクターをさらに具備する請求項２７記載の通信装置。
【請求項２９】
前記リンク品質ファクターは、
信号強さ、信号対雑音比、および信号対雑音干渉比の少なくとも１つに基づいている請求項２８記載の通信装置。
【請求項３０】
各クアジオムニパケットは、
クアジオムニパケットの少なくとも１つと、
クアジオムニパケットの数と、
クアジオムニ方向の全体の数とを具備する請求項１８記載の通信装置。
【請求項３１】
第１のデバイスから、複数のクアジオムニパターンで送信された複数のクアジオムニパケットの少なくとも１つのクアジオムニパケットを検出する手段と、
第１のデバイスから、指向性のパターンで送信されたプリアンブルを検出する手段と、
検出されたクアジオムニパターンおよび検出された指向性のパターンの少なくとも１つを具備する好ましいパターンを決定する手段と、
前記好ましいパターンを具備するフィードバックを、前記第１のデバイスに送信する手段とを具備する通信用通信装置。
【請求項３２】
各クアジオムニパケットは、
ビーコンを具備する請求項３１記載の通信装置。
【請求項３３】
前記検出手段は、
第２のデバイスの複数のクアジオムニパターンに渡って掃引する手段を具備する請求項３１記載の通信装置。
【請求項３４】
前記検出手段は、
第２のデバイスの複数の指向性のパターンに渡って掃引する手段を具備する請求項３１記載の通信装置。
【請求項３５】
複数のクアジオムニパケットおよび複数のプリアンブルが、ビーム形成プロファイルを決定するために使用されており、
各クアジオムニパケットが特有のクアジオムニパターンで送信されている前記複数のクアジオムニパケットを、第１のデバイスから送信し、
各プリアンブルが複数の指向性のパターンの１つで送信されている前記複数のプリアンブルを、前記第１のデバイスから送信するように構成された処理システムを具備する通信装置。
【請求項３６】
前記複数の指向性のパターンは、
１つの特有のクアジオムニパターンに基づいている請求項３５記載の通信装置。
【請求項３７】
前記１つの特有のクアジオムニパターンは、
少なくとも１つのクアジオムニパケットを受信している第２のデバイスによって識別される請求項３６記載の通信装置。
【請求項３８】
各クアジオムニパターンは、
各指向性のパターンのカバレージよりも広いカバレージを有する請求項３５記載の通信装置。
【請求項３９】
各クアジオムニパターンは、
複数のセクタの１つと、
複数の方向の１つと、
交換アンテナアレイの複数のパターンの１つとの少なくとも１つを具備する請求項３５記載の通信装置。
【請求項４０】
前記複数のクアジオムニパケットの少なくとも１つは、
ビーコンを具備する請求項３５記載の通信装置。
【請求項４１】
前記処理システムは、
要求されたパターンが、選択されたクアジオムニパターンと、選択された指向性のパターンとの少なくとも１つを具備しており、前記要求されたパターンを具備する第２のデバイスから関係付け要求を受信し、
前記要求されたパターンに基づいて、前記第２のデバイスに対する全ての将来の通信を送信するようにさらに構成された請求項３５記載の通信装置。
【請求項４２】
前記要求されたパターンは、
前記第２のデバイスによって識別されたリンク品質ファクターに基づいて選択される請求項４１記載の通信装置。
【請求項４３】
前記リンク品質ファクターは、
信号強さ、信号対雑音比、および信号対雑音干渉比の少なくとも１つに基づいている請求項４２記載の通信装置。
【請求項４４】
前記処理システムは、
前記第１のデバイスで、複数の方向からのプリアンブルをモニタし、
前記プリアンブルに基づいて、前記複数の方向の各々に対するリンク品質ファクターを決定し、
前記リンク品質ファクターに基づいて、前記複数の方向から好ましい方向を識別し、および、
前記好ましい方向を具備するフィードバックを送信するようにさらに構成された請求項４２記載の通信装置。
【請求項４５】
前記フィードバックは、
前記好ましい方向に対応するリンク品質ファクターをさらに具備する請求項４４記載の通信装置。
【請求項４６】
前記リンク品質ファクターは、
信号強さ、信号対雑音比、および信号対雑音干渉比の少なくとも１つに基づいている請求項４４記載の通信装置。
【請求項４７】
各クアジオムニパケットは、
クアジオムニパケットの少なくとも１つと、
クアジオムニパケットの数と、
クアジオムニ方向の全体の数とを具備する請求項３５記載の通信装置。
【請求項４８】
第１のデバイスから、複数のクアジオムニパターンで送信された複数のクアジオムニパケットの少なくとも１つのクアジオムニパケットを検出し、
第１のデバイスから、指向性のパターンで送信されたプリアンブルを検出し、
検出されたクアジオムニパターンおよび検出された指向性のパターンの少なくとも１つを具備する好ましいパターンを決定し、および、
前記好ましいパターンを具備するフィードバックを、前記第１のデバイスに送信するように構成された処理システムを具備する通信用通信装置。
【請求項４９】
各クアジオムニパケットは、
ビーコンを具備する請求項４８記載の通信装置。
【請求項５０】
前記処理システムは、
第２のデバイスの複数のクアジオムニパターンに渡って掃引するようにさらに構成された請求項４８記載の通信装置。
【請求項５１】
前記処理システムは、
第２のデバイスの複数の指向性のパターンに渡って掃引するようにさらに構成された請求項４８記載の通信装置。
【請求項５２】
複数のクアジオムニパケットおよび複数のプリアンブルが、ビーム形成プロファイルを決定するために使用されており、
各クアジオムニパケットが特有のクアジオムニパターンで送信されている前記複数のクアジオムニパケットを、第１のデバイスから送信し、
各プリアンブルが複数の指向性のパターンの１つで送信されている前記複数のプリアンブルを、前記第１のデバイスから送信するように実行可能な命令を持ってエンコードされた機械読み出し可能な媒体を具備するワイヤレス通信用コンピュータプログラム製品。
【請求項５３】
第１のデバイスから、複数のクアジオムニパターンで送信された複数のクアジオムニパケットの少なくとも１つのクアジオムニパケットを検出し、
前記第１のデバイスから、指向性のパターンで送信されたプリアンブルを検出し、
検出されたクアジオムニパターンおよび検出された指向性のパターンの少なくとも１つを具備する好ましいパターンを決定し、および、
前記好ましいパターンを具備するフィードバックを、前記第１のデバイスに送信するように実行可能な命令を持ってエンコードされた機械読み出し可能な媒体を具備するワイヤレス通信用コンピュータプログラム製品。
【請求項５４】
アンテナと、
複数のクアジオムニパケットおよび複数のプリアンブルが、ビーム形成プロファイルを決定するために使用されており、
各クアジオムニパケットが特有のクアジオムニパターンで送信されている前記複数のクアジオムニパケットを、アンテナを使用して、第１のデバイスから送信し、および、
各プリアンブルが複数の指向性のパターンの１つで送信されている前記複数のプリアンブルを、アンテナを使用して、前記第１のデバイスから送信するように構成された処理システムとを具備するピコネットコーディネータ。
【請求項５５】
アンテナと、
第１のデバイスから、複数のクアジオムニパターンで送信された複数のクアジオムニパケットの少なくとも１つのクアジオムニパケットを検出し、
前記第１のデバイスから、指向性のパターンで送信されたプリアンブルを検出し、
検出されたクアジオムニパターンおよび検出された指向性のパターンの少なくとも１つを具備する好ましいパターンを決定し、および、
前記好ましいパターンを具備するフィードバックを、前記アンテナを使用して、前記第１のデバイスに送信するように構成された処理システムとを具備する通信デバイス。
【発明の詳細な説明】
【関連出願】
【０００１】
本出願は、“ビーム形成およびデータパケットに対するＯＦＤＭプリアンブル”と題する２００７年１１月６日に出願された米国仮特許出願第６０／９８５，９５７号に対して、米国特許法１１９条（ｅ）に基づき優先権の利益を主張している。
【技術分野】
【０００２】
本開示は、一般的に、ワイヤレス通信システムに関し、さらに特定的には、ワイヤレス通信システムにおけるワイヤレスデータ送信に関する。
【背景技術】
【０００３】
関係する技術の１つの面において、米国電気電子学会（ＩＥＥＥ）の８０２．１５．３ｃ標準規格によって特定された詳細に付随するネットワークのようなミリメータ波通信に対して、シングルキャリアか、直交周波数分割マルチプレクシング（ＯＦＤＭ）変調モードの何れかをサポートする物理（ＰＨＹ）層を持つデバイスが使用されうる。この例において、ＰＨＹ層は、ミリメータ波通信に対して、５７ギガヘルツ（ＧＨｚ）から６６ＧＨｚのスペクトラムに構成することが出来る。領域によっては、通信に対して、ＰＨＹ層は、米合衆国では、５７ＧＨｚから６４ＧＨｚ、また、日本では、５９ＧＨｚから６６ＧＨｚの範囲に構成することが出来る。
【０００４】
ＯＦＤＭかシングルキャリアモードの何れかをサポートするデバイスやネットワーク間の相互動作性を許容するために、両方のモードは、さらに共通のモードをサポートする。特に、共通のモードは、異なるデバイスや異なるネットワーク間の共存および相互動作性を容易化するＯＦＤＭおよびシングルキャリアトランシーバの両方によって採用されたシングルキャリアベースレートモードである。共通のモードは、ビーコン、送信制御、およびコマンド情報を提供するために採用され、データパケットに対するベースレートとして使用されうる。
【０００５】
８０２．１５．３ｃネットワークにおけるシングルキャリアトランシーバは、マーセルＪ．Ｅ．ゴレイによって最初に導入されたフォーム（ゴレイコードと言及する）の拡散を、送信されたデータフレームの幾つかまたは全てのフィールドに提供し、また、受信したゴレイコード信号の符合したフィルタリングを実行する少なくとも１つのコード生成器を典型的に採用する。相補的なゴレイコードは、１つのシーケンスにおいて、任意の所定の分離を持った同一のエレメントのペアーの数が、他のシーケンスにおいて、同じ分離を持った不同一のエレメントのペアーの数に等しいような、等しい長さの有限なシーケンスのセットである。参照により、ここに組み込まれたＳ．Ｚ．バディシン、“ゴレイ相補的なシーケンスに対する効率的なパルスコンプレッサ”、エレクトロニックレター、２７、ｎｏ．３、ｐｐ．２１９−２２０、１９９１年１月３１日は、ゴレイ相補的なコードを生成する送信機、およびゴレイ符合したフィルタを示す。
【０００６】
低パワーデバイスについて、共通モードに対して、フィルタされた信号のスペクトラムに影響することなくパワーアンプが最大の出力パワーで動作出来るように、一定包絡線を有する連続的な位相変調された（ＣＰＭ）信号を採用することは利点がある。ガウシアン最小シフトキーイング（ＧＭＳＫ）は、ガウシアンフィルタにおける適切な帯域幅時間積（ＢＴ）パラメータを選択することによって、コンパクトなスペクトルの占有を有する連続的な位相変調のフォームである。一定包絡線は、ＧＭＳＫを、非一定包絡線信号に関係付けられた付随したスペクトル再生なしの非線形パワーアンプ動作とコンパチブルにする。
【０００７】
様々な技法が、ＧＭＳＫパルス形状を生成するように実行されうる。例えば、線形化ＧＭＳＫパルスを持ったπ／２−二進位相シフトキー（ＢＰＳＫ）変調（または、π／２−差分ＢＰＳＫ）は、Ｉ．ラッキス、Ｊ．スー，＆Ｓ．カトー、“単純コヒーレントＧＭＳＫ復調器”、ＩＥＥＥ  パーソナル、インドアおよび移動無線通信（ＰＩＭＲＣ）２００１において表示されたように実現することが出来、共通モードに対して、参照により、ここに組み込まれる。
【発明の概要】
【０００８】
本出願において開示された面は、ＩＥＥＥ８０２．１５．３ｃプロトコルによって規定されるようなミリメートル波ワイヤレスパーソナル領域ネットワーク（ＷＰＡＮ）を採用しているシステムにとって利点がありうる。しかし、本開示は、そのようなシステムに制限されることは意図していない。というのは、他のアプリケーションは、類似の利点から恩恵を受けうるためである。
【０００９】
本開示の１つの面に従えば、通信の方法が提供される。さらに特定的には、方法は、拡張されたゴレイコードのセットから選択された拡張されたゴレイコードを取得すること、拡張されたゴレイコードを変形すること、変形された拡張されたゴレイコードを使用しているプリアンブルを発生すること、およびプリアンブルを送信することを含む。
【００１０】
本開示の別の面に従って、通信装置が提供される。通信装置は、拡張されたゴレイコードのセットから選択された拡張されたゴレイコードを取得する手段と、拡張されたゴレイコードを変形する手段と、変形された拡張されたゴレイコードを使用しているプリアンブルを発生させる手段と、プリアンブルを送信する手段とを含む。
【００１１】
本開示の別の面に従って、通信に対する装置が提供される。通信装置は、拡張されたゴレイコードのセットから選択された拡張されたゴレイコードを取得し、拡張されたゴレイコードを変形し、変形された拡張されたゴレイコードを使用しているプリアンブルを発生し、プリアンブルを送信するように構成された処理システムを含む。
【００１２】
本開示の別の面に従って、ワイヤレス通信に対するコンピュータプログラム製品が提供される。コンピュータプログラム製品は、拡張されたゴレイコードのセットから選択された拡張されたゴレイコードを取得し、拡張されたゴレイコードを変形し、変形された拡張されたゴレイコードを使用しているプリアンブルを発生し、プリアンブルを送信するために、実行可能な命令でエンコードされた機械読み出し可能な媒体を含む。
【００１３】
本開示の別の面に従って、ピコネットコーディネータが提供されうる。ピコネットコーディネータは、アンテナと、拡張されたゴレイコードのセットから選択された拡張されたゴレイコードを取得し、拡張されたゴレイコードを変形し、変形された拡張されたゴレイコードを使用しているプリアンブルを発生し、プリアンブルをアンテナを介して送信するように構成された処理システムとを含む。
【００１４】
本開示の別の面に従って、通信の方法が提供される。さらに特定的に、方法は、第１のデバイスから、複数のクアジオムニパケットを、各クアジオムニパケットが特有のクアジオムニパターンで送信されるように送信することと、第１のデバイスから、複数のプリアンブルを、各プリアンブルが複数の指向性のパターンの１つで送信されるように送信することとを含み、ここで、複数のクアジオムニパケットおよび複数のプリアンブルは、ビーム形成プロファイルを決定するために使用される。
【００１５】
本開示の別の面に従って、通信装置が提供され、通信装置は、第１のデバイスから、複数のクアジオムニパケットを、各クアジオムニパケットが特有のクアジオムニパターンで送信されるように送信する手段と、第１のデバイスから、複数のプリアンブルを、各プリアンブルが複数の指向性のパターンの１つで送信されるように送信する手段とを含み、ここで、複数のクアジオムニパケットおよび複数のプリアンブルは、ビーム形成プロファイルを決定するために使用される。
【００１６】
本開示の別の面に従って、通信装置が提供される。通信装置は、第１のデバイスから、複数のクアジオムニパケットを、各クアジオムニパケットが特有のクアジオムニパターンで送信されるように送信し、第１のデバイスから、複数のプリアンブルを、各プリアンブルが複数の指向性のパターンの１つで送信されるように送信するように構成された処理システムを含み、ここで、複数のクアジオムニパケットおよび複数のプリアンブルは、ビーム形成プロファイルを決定するために使用される。
【００１７】
本開示の別の面に従って、ワイヤレス通信に対するコンピュータプログラム製品が提供される。コンピュータプログラム製品は、第１のデバイスから、複数のクアジオムニパケットを、各クアジオムニパケットが特有のクアジオムニパターンで送信されるように送信し、第１のデバイスから、複数のプリアンブルを、各プリアンブルが複数の指向性のパターンの１つで送信されるように送信するように実行可能な命令でエンコードされた機械読み出し可能な媒体を含み、ここで、複数のクアジオムニパケットおよび複数のプリアンブルは、ビーム形成プロファイルを決定するために使用される。
【００１８】
本開示の別の面に従って、ピコネットコーディネータが提供される。ピコネットコーディネータは、アンテナを含み、また、第１のデバイスから、複数のクアジオムニパケットを、各クアジオムニパケットが特有のクアジオムニパターンで、アンテナを使用して送信されるように送信し、第１のデバイスから、複数のプリアンブルを、各プリアンブルが複数の指向性のパターンの１つで、アンテナを使用して送信されるように送信するように構成された処理システムを含み、ここで、複数のクアジオムニパケットおよび複数のプリアンブルは、ビーム形成プロファイルを決定するために使用される。
【００１９】
本開示の別の面に従って、通信の方法が提供される。さらに特定的に、方法は、第１のデバイスから、複数のクアジオムニパターンで送信される複数のクアジオムニパケットの少なくとも１つのクアジオムニパケットを検出することと、第１のデバイスから指向性のパターンで送信されたプリアンブルを検出することと、検出されたクアジオムニパターンと検出された指向性のパターンの少なくとも１つを含んでいる好ましいパターンを決定することと、好ましいパターンを含んでいるフィードバックを、第１のデバイスに送信することとを含む。
【００２０】
本開示の別の面に従って、通信装置が提供される。通信装置は、第１のデバイスから、複数のクアジオムニパターンで送信される複数のクアジオムニパケットの少なくとも１つのクアジオムニパケットを検出する手段と、第１のデバイスから指向性のパターンで送信されたプリアンブルを検出する手段と、検出されたクアジオムニパターンと検出された指向性のパターンの少なくとも１つを含んでいる好ましいパターンを決定する手段と、第１のデバイスに好ましいパターンを含んでいるフィードバックを送信する手段とを含む。
【００２１】
本開示の別の面に従って、通信装置が提供される。通信装置は、第１のデバイスから、複数のクアジオムニパターンで送信される複数のクアジオムニパケットの少なくとも１つのクアジオムニパケットを検出し、第１のデバイスから指向性のパターンで送信されたプリアンブルを検出し、検出されたクアジオムニパターンと検出された指向性のパターンの少なくとも１つを含んでいる好ましいパターンを決定し、好ましいパターンを含んでいるフィードバックを、第１のデバイスに送信するように構成された処理システムを含む。
【００２２】
本開示の別の面に従って、ワイヤレス通信に対するコンピュータプログラム製品が提供される。コンピュータプログラム製品は、第１のデバイスから、複数のクアジオムニパターンで送信される複数のクアジオムニパケットの少なくとも１つのクアジオムニパケットを検出し、第１のデバイスから指向性のパターンで送信されたプリアンブルを検出し、検出されたクアジオムニパターンと検出された指向性のパターンの少なくとも１つを含んでいる好ましいパターンを決定し、好ましいパターンを含んでいるフィードバックを、第１のデバイスに送信するように実行可能な命令でエンコードされる機械読み出し可能な媒体を含む。
【００２３】
本開示の別の面に従って、通信デバイスが提供される。通信デバイスは、アンテナを含み、また、第１のデバイスから、複数のクアジオムニパターンで送信される複数のクアジオムニパケットの少なくとも１つのクアジオムニパケットを検出し、第１のデバイスから指向性のパターンで送信されたプリアンブルを検出し、検出されたクアジオムニパターンと検出された指向性のパターンの少なくとも１つを含んでいる好ましいパターンを決定し、第１のデバイスに好ましいパターンを含んでいるフィードバックを、アンテナを使用して送信するように構成された処理システムを含む。
【００２４】
本出願において、特有の面が記述されたが、多数のバリエーションおよびこれらの面の組み合わせは、本開示の範囲内にあたる。幾つかの好ましい面の利点および利益が言及されたが、開示の範囲は、特有の利点、使用、対象に制限されることを意図していない。むしろ、開示の面は、その幾つかが図中および以下の詳細な記述において例示で例解されるように、異なるワイヤレス技術、システム構成、ネットワークおよび送信プロトコルに広く応用可能であることを意図している。詳細な記述および図面は、制限というより、開示の単に例解であり、開示の範囲は、付属の請求項およびそれらの等価物によって規定される。
【図面の簡単な説明】
【００２５】
本開示に従った面は、以下の図面を参照しながら理解される。
【図１】図１は、本開示の面に従ったＯＦＤＭ通信信号に対するプリアンブルの表示である。
【図２Ａ】図２Ａは、本開示の様々な面に従って、通常のゴレイシーケンスから変形されたゴレイシーケンスを生成するフローチャートである。
【図２Ｂ】図２Ｂは、本開示の様々な面に従って、通常のゴレイシーケンスから変形されたゴレイシーケンスを生成するフローチャートである。
【図３Ａ】図３Ａは、本開示の１つの面に従って構成された時間ドメインフィルタのプロットである。
【図３Ｂ】図３Ｂは、変形されたゴレイシーケンスに対する結果のスペクトラムプロットである。
【図４】図４は、本開示の様々な面に従って、様々な長さを有するプリアンブルの構造図である。
【図５】図５は、本開示の１つの面に従って構成されたゴレイコード回路のブロック図である。
【図６】図６は、本開示の１つの面に従って構成されたプロアクティブなビーム形成に使用するスーペーフレーム構造の構造図である。
【図７】図７は、図６のスーペーフレーム構造に類似した複数のスーペーフレーム構造の夫々に使用される複数のビーコン構造の構造図である。
【図８Ａ】図８Ａは、本開示の１つの面に従って構成されたビーム形成情報エレメントである。
【図８Ｂ】図８Ｂは、本開示の１つの面に従って構成されたスーペーフレーム情報エレメントである。
【図９Ａ】図９Ａは、本開示の様々な面に従って構成された無指向性の受信アンテナデバイスを持ったデバイスのフローチャートである。
【図９Ｂ】図９Ｂは、本開示の様々な面に従って構成された単一の指向性のアンテナデバイスを持ったデバイスのフローチャートである。
【図１０Ａ】図１０Ａは、本発明の面に従って構成されたデバイスに対するビーム形成取得プロセスのフローチャートである。
【図１０Ｂ】図１０Ｂは、本発明の面に従って構成されたデバイスに対するビーム形成取得プロセスのフローチャートである。
【図１０Ｃ】図１０Ｃは、本発明の面に従って構成されたデバイスに対するビーム形成取得プロセスのフローチャートである。
【図１０Ｄ】図１０Ｄは、本発明の面に従って構成されたデバイスに対するビーム形成取得プロセスのフローチャートである。
【図１０Ｅ】図１０Ｅは、本発明の面に従って構成されたデバイスに対するビーム形成取得プロセスのフローチャートである。
【図１１Ａ】図１１Ａは、本開示の１つの面に従って構成されたオンデマンドのビーム形成に対するプロセスに関係する。
【図１１Ｂ】図１１Ｂは、本開示の１つの面に従って構成されたオンデマンドのビーム形成に対するプロセスに関係する。
【図１２Ａ】図１２Ａは、Ｑ−オムニフレーム送信と、第２のデバイスから第１のデバイスに逆送信されたフィードバック情報エレメントの一部として、第１のデバイスから第２のデバイスに送信されたＱ−オムニ情報エレメントに関係する。
【図１２Ｂ】図１２Ｂは、Ｑ−オムニフレーム送信と、第２のデバイスから第１のデバイスに逆送信されたフィードバック情報エレメントの一部として、第１のデバイスから第２のデバイスに送信されたＱ−オムニ情報エレメントに関係する。
【図１３Ａ】図１３Ａは、本開示の１つの面に従って構成された、オンデマンドのビーム形成の指向性フェーズを例解する。
【図１３Ｂ】図１３Ｂは、本開示の１つの面に従って構成された、オンデマンドのビーム形成の指向性フェーズを例解する。
【図１３Ｃ】図１３Ｃは、本開示の１つの面に従って構成された、オンデマンドのビーム形成の指向性フェーズを例解する。
【図１４】図１４は、本開示の１つの面に従って構成されたワイヤレスネットワークの図である。
【図１５】図１５は、本開示の１つの面に従って構成されたプリアンブル発生装置のブロック図である。
【図１６】図１６は、本開示の１つの面に従って構成されたクアジオムニパケットおよびプリアンブル送信機装置のブロック図である。
【図１７】図１７は、本開示の１つの面に従って構成されたビーム形成フィードバック装置のブロック図である。
【００２６】
通常のプラクティスに従って、図面に例解された様々な特徴は、明瞭化のために単純化されうる。従って、図面は所定の装置（例えば、デバイス）や方法のコンポーネントの全てを描写はしないであろう。加えて、明細書および図面を通して、類似の参照番号は、類似の特徴を指すために使用されるであろう。
【発明を実施するための形態】
【００２７】
本開示の様々な面が、以下に記述される。本出願での教示は、種々の広い形態で体現され、本出願で開示された任意の特有の構造、機能、または両方は、単に代表的であることは明白であろう。本出願での教示に基づいて、本技術の当業者は、本出願で開示された面が他の任意の面と独立に実現することが出来、また２つあるいはそれより多くのこれらの面は、様々な方法で組み合わせることが出来ることを理解するであろう。例えば、本出願で説明された任意の数の面を使用して、装置は実現することが出来、または、方法は実施することが出来る。加えて、他の構造、機能性、または本出願で説明された１つあるいはそれより多くの面に加えて、あるいは、それ以外の構造と機能性を使用して、そのような装置は実現され、または実施されうる。
【００２８】
以下の記述において、説明の目的から、多数の特有の詳細が開示の完全な理解を提供するために説明される。しかし、本出願に示され、記述された特有の面は、開示を特有の態様に限定することを意図するものではなく、むしろ、開示は、請求項によって規定される開示の範囲に入る全ての変形、等価物、および代替案をカバーすることを意図している。
【００２９】
開示の１つの面において、シングルキャリア変調とＯＦＤＭを採用しているデュアルモードミリメートル波システムが、シングルキャリア共通シグナリングを持って提供される。ＯＦＤＭサンプリング周波数は、２５９２ＭＨｚであり、この面におけるＯＦＤＭトランシーバは、サイズ５１２の高速フーリエ変換（ＦＦＴ）を実行するように構成されており、ここで、５１２個のサブキャリアの内の３５２個のみが使用され、１７８２ＭＨｚのバンド幅となっている。使用されているサブキャリアの内の３３６個がデータを有し、１６個がパイロットである。
【００３０】
図１は、本開示の面に従うＯＦＤＭ通信信号に対するプリアンブル構造１００の表示である。プリアンブル構造１００は、パケット同調シーケンスフィールド１１０、開始フレームデリミタ（ＳＦＤ）フィールド１４０、およびチャネル推定シーケンス（ＣＥＳ）フィールド１８０を含む。
【００３１】
長さＮのＯＦＤＭシンボルに対して、長さＭ＝Ｎ／Ｌの変形されたゴレイシーケンスを持った、長さＬのカバーシーケンスのクロネッカー（ｋｒｏｎ）積が、長さＮのベースシーケンスｖとして使用される：
ｖ＝ｋｒｏｎ（ｃ，ｕ），
ここで、ｃは、長さＬのカバーシーケンスであり、ｕは、長さＭの変形されたゴレイシーケンスである。カバーシーケンスの１つのセットは、以下の長さＬのシーケンスのサブセットである：
ＩＦＦＴ（［０  ０  ．．．０  １  ０  ．．．０］），
ここでＩＦＦＴは、逆高速フーリエ変換動作であり、括弧内のシーケンスは、ただ１つの非ゼロエレメントを有する。非ゼロエレメントの位置は、カバーシーケンスの異なるセットを取得するために変動しうる。本開示の様々な面に従って、複数のピコネットワークの各々は、１つあるいはそれより多くのプリアンブルに対するベースシーケンスを使用するように構成される。
【００３２】
本開示の１つの面において、サイズ５１２（即ち、Ｍ＝５１２）のＦＦＴおよび長さ１２８（即ち、Ｍ＝１２８）の変形されたゴレイシーケンスに対して、以下の長さ−４カバーコード（即ち、Ｌ＝４）が使われる：
ｃ（１）＝ＩＦＦＴ（［１  ０  ０  ０］）＝［１  １  １  １］；
ｃ（２）＝ＩＦＦＴ（［０  １  ０  ０］）＝［１  ｊ  −１  −ｊ］；
ｃ（３）＝ＩＦＦＴ（［０  ０  １  ０］）＝［１  −１  １  −１］；および
ｃ（４）＝ＩＦＦＴ（［０  ０  ０  １］）＝［１  −ｊ  −１  ｊ］．
第１のピコネットコントローラ（ＰＮＣ）は、第１のベースシーケンスを形成するために、カバーコードｃ１を持ったゴレイシーケンスａ１を使用する：
長さ５１２のｖ１＝［＋ａ１  ＋ａ１  ＋ａ１  ＋ａ１］
第２のＰＮＣは、第２のベースシーケンスを形成するために、カバーコードｃ２を持ったゴレイシーケンスａ２を使用する：
長さ５１２のｖ２＝［＋ａ２  ＋ｊ．ａ２  −ａ２  −ｊａ２］
第３のＰＮＣは、第３のベースシーケンスを形成するために、カバーコードｃ３を持ったゴレイシーケンスａ３を使用する：
長さ５１２のｖ３＝［＋ａ３  −ａ３  ＋ａ３  −ａ３］
第４のＰＮＣは、第４のベースシーケンスを形成するために、カバーコードｃ４を持ったゴレイシーケンスａ４を使用する：
長さ５１２のｖ４＝［＋ａ４  −ｊ．ａ４  −ａ４  ＋ｊａ４］
４つのベースシーケンスｖ１，ｖ２，ｖ３，およびｖ４のＦＦＴは、周波数ドメインにおけるサブキャリアビン（ｂｉｎ）を占有するのでお互いに直交である。例えば、ｖ１は、ビン０，４，８，．．．，を占有し、ｖ２は、ビン１，５，９，．．．，を占有し、ｖ３は、ビン２，６，１０，．．．，を占有し、ｖ４は、ビン３，７，１１，．．．，を占有する。これは、４つのピコネットのプリアンブル間の干渉を低減させ、改善された周波数および空間的な再使用をもたらす。
【００３３】
開示の１つの面において、通常のゴレイシーケンス（例えば、ａ１）が、変形されたゴレイシーケンス、ｂ１を形成するために使用される。ｂ１は、１２８個のサブキャリアビン（即ち、サブキャリア０，４，８，  ．．．）のみを占有するが、ガードバンドが無いので、合計のバンド幅は全体の２５９２ＭＨＺチャネルバンド幅を具備する。サイズ５１２のＦＦＴに対応するサブキャリアは、−２５６から２５５まで番号付けすることが出来、２５９２ＭＨｚのバンド幅に対応する。サブキャリア−１７６から１７６までは、データとパイロットに対して採用される有用なバンド幅を指し、一方、−１７６から１７６までの範囲の外側のサブキャリアは、ガードバンドとして使用することが出来る。
【００３４】
図２Ａは、本開示の１つの面に従って、通常のゴレイシーケンスａから、変形されたゴレイシーケンスｕを発生するための変形されたゴレイシーケンス発生プロセス２００を例解する。ステップ２０２において、積ベクトルＳを生成するために、ＦＦＴシフト動作は提供され、ここで：
Ｓ＝ｆｆｔｓｈｉｆｔ（ｆｆｔ（［ａ  ａ  ａ  ａ］））
は長さ５１２のベクトルであり、演算子ｆｆｔｓｈｉｆｔは、ＦＦＴを（例えば、シーケンス［０：５１１］を中央化された［−２５６：２５５］に）中央化する。ステップ２０４において、予め決められたバンド幅の外側のＳのサブキャリア値は、ゼロに設定される。例えば、［−１７６：１７６］の範囲の外側のサブキャリアは、減衰化またはゼロ化されうる。選択的なステップ２０６において、［−１７６：１７６］の範囲内のＳの振幅は、正規化されうる。ステップ２０８において、ＳのＩＦＦＴの真の値は、長さ５１２のベクトルｓを形成するために使用される：
ｓ＝ｒｅａｌ（ｉｆｆｔ（Ｓ））。
【００３５】
ステップ２１０において、変形されたゴレイシーケンスｕは、ｓの第１の１２８サンプルから発生される：
ｕ＝ｓ（１：１２８）。
【００３６】
図２Ｂは、本開示の１つの面に従って、第２の変形されたゴレイシーケンスｕを発生するための第２の変形されたゴレイシーケンス発生プロセス２５０を例解する。このアプローチにおいて、変形されたゴレイシーケンスの発生は、変形されたゴレイシーケンスが、通常のゴレイシーケンスと短時間ドメインフィルタｇ間の周期的コンボルーションであることに基づく。時間ドメインフィルタｇは、結果となるシーケンスのバンド幅を、データ送信に対して使用される実際のバンド幅に制限するように構成される。
【００３７】
ステップ２５２において、選択されたバンド幅に等しいバンド幅を有し、１つの例では１７８２ＭＨｚのバンド幅である、長さＬｇの時間ドメインフィルタｇが提供される。時間ドメインフィルタｇの例が、図３Ａ中のプロット３００によって示される。チャネルバンド幅の３−ｄＢバンド幅は、使用されたバンド幅を決定するための多数の設計パラメータの１つであり、結果、様々なフィルタの任意のものをもたらす。ステップ２５４において、変形されたゴレイシーケンスｕは、ｇと通常のゴレイコードａとの周期的コンボルーションから発生される。ステップ２５６において、結果のマルチレベル、非二進シーケンスは、送信されるか記憶されうる。変形されたゴレイシーケンスｕのスペクトラムプロット３５０は、図３Ｂに示されている。
【００３８】
本開示の方法および装置面に従って構成された受信機は、フィルタｇに関係した符合したフィルタリングをもたらしうる。１つの面において、受信機は、ｇに符合したフィルタを含むことが出来、通常のゴレイコードに符合したフィルタが続きうる。本開示の面に従って採用された受信機は、並行的受信構造を持って提供されうる。
【００３９】
本開示の１つの面において、各ベースシーケンスのサブキャリアは、周波数でインターリーブされ、そうして、各ベースシーケンスは、使用されたチャネルバンド幅の四分の一を占有する。しかし、時間と周波数の同期が無い場合、インターリーブされたサブキャリアを採用するピコネット間で干渉が起こりうる。例えば、ＰＮＣ １に属しているサブキャリア４は、ＰＮＣ ４およびＰＮＣ ２に属している隣接するサブキャリア３および５を夫々有しうる。時間および／または周波数同期が無い場合、サブキャリア３および５は、サブキャリア４にリークしえて、結果干渉となる。
【００４０】
リークによって引き起こされる干渉をアドレスするアプローチにおいて、異なるカバーシーケンスが採用されうる。例えば、各々長さ８の４つのカバーシーケンスが、以下のようにもたらされうる：
Ｃ１＝ｉｆｆｔ（［１  ０  ０  ０  ０  ０  ０  ０］）＝［＋１  ＋１  ＋１  ＋１  ＋１  ＋１  ＋１  ＋１］，
Ｃ２＝ｉｆｆｔ（［０  ０  １  ０  ０  ０  ０  ０］）＝［＋１  ＋ｊ  −１  −ｊ  ＋１  ＋ｊ  −１  −ｊ］，
Ｃ３＝ｉｆｆｔ（［０  ０  ０  ０  １  ０  ０  ０］）＝［＋１  −１  ＋１  −１  ＋１  −１  ＋１  −１］，および
Ｃ４＝ｉｆｆｔ（［０  ０  ０  ０  ０  ０  １  ０］）＝［＋１  −ｊ  −１  ＋ｊ  ＋１  −ｊ  −１  ＋ｊ］。
【００４１】
これらのカバーシーケンスは、長さ５１２の４つのベースシーケンスを発生するために、長さ６４の変形されたゴレイシーケンスと結合することが出来、ここで、各１つは、使用された周波数バンドの八分の一のみを占有する。従って、各々のアクティブなサブキャリアは、２つの非アクティブな（または、ゼロの）サブキャリアによって囲まれ、干渉が減少される。本開示の代替的な面は、異なるカバーシーケンスの長さに構成されうる。
【００４２】
図１を再び参照すれば、チャネル推定シーケンス（ＣＥＳ）１８０は、２つの長さ５１２の相補的なゴレイシーケンスａおよびｂから生成された、変形されたゴレイシーケンスｖａ １８２−１およびｖｂ １８２−２の相補的な対を含む。変形されたゴレイシーケンスｖａ １８２−１およびｖｂ １８２−２の相補的な対の各々は、周期的プリフィックス（ＣＰ）１８４−１および１８４−２によって夫々先行される。変形されたゴレイシーケンスｖａ １８２−１およびｖｂ １８２−２の相補的な対を生成するために、カバーシーケンスは一切使用されない。変形されたゴレイシーケンスｖａ １８２−１およびｖｂ １８２−２の対は相補的であり、時間ドメインまたは周波数ドメインのいずれかにおける完全なチャネル推定を許容しうる。代替的なアプローチにおいて、２つの長さ１２８の相補的なゴレイシーケンスａとｂ、および２つの長さ４のカバーシーケンスは、長さ５１２の変形されたゴレイシーケンスｖａ １８２−１およびｖｂ １８２−２の対を生成するために使用することが出来る。変形されたゴレイシーケンスｖａ １８２−１およびｖｂ １８２−２は、長さ１２８に渡って相補的であり、従って、依然として時間または周波数ドメインのいずれかにおける完全なチャネル推定を許容しうる。時間ドメインにおいて、チャネル推定は、長さ１２８のゴレイシーケンスを通して提供されうる。周波数ドメインにおいて、サブキャリアの四分の一のみしか読み込まれていないので、チャネル推定は内挿の使用が求められる。
【００４３】
１つの面において、ＣＥＳ１８０は、チャネルトラッキングを促進するために周期的に繰り返されうる。このケースにおいて、ＣＥＳ１８０は、パイロットＣＥＳ（ＰＣＥＳ）と呼ばれる。３つの期間が提供され、それらは、１，３，および６ｍｓのレートに対応する。
【００４４】
図４は、本開示に従ったプリアンブル４００を例解する。３つのプリアンブルは以下のように規定される：
長いプリアンブル：８同期シンボル、１  ＳＦＤシンボル、２  ＣＥＳシンボル
中間プリアンブル：４同期シンボル、１  ＳＦＤシンボル、２  ＣＥＳシンボル
短いプリアンブル：２同期シンボル、１  ＳＦＤシンボル、２  ＣＥＳシンボル。
【００４５】
ビーコン期間の間、クアジオムニパターン、即ち、興味の空間の区域の広い領域をカバーするパターンを持ったビーコンは、“Ｑ−Ｏｍｎｉ”ビーコンと称され、最初に送信される。指向性のビーコン、即ち、ある方向に、あるアンテナ利得で送信されるビーコンは、ビーコン期間または２つのデバイス間のＣＴＡＰにおいて追加的に送信されうる。
【００４６】
独特のプリアンブルシーケンスセットは、周波数および空間的再使用を改善するように、同一の周波数チャネル内の各ピコネットに割り当てられうる。本開示の１つの面において、（パラメータｍで名づけられた）４つのプリアンブルシーケンスセットは、周波数／空間的再使用のために提供される。プリアンブルシーケンスセットは、長さ５１２のベースシーケンスｓ５１２，ｍ、および２つの長さ５１２のＣＥＳシーケンスｕ５１２，ｍおよびｖ５１２，ｍを具備する。ベースシーケンスｓ５１２，ｍは、長さ４のカバーシーケンスｃ４，ｍ、および長さ１２８の変形されたゴレイシーケンスｕ１２８，ｍのクロネッカー積である：
ｓ５１２，ｍ［ｎ］＝  ｃ４，ｍ［ｆｌｏｏｒ（ｎ／１２８）］×ｕ１２８，ｍ［ｎ ｍｏｄ １２８］  ｎ＝０：５１１。
【００４７】
ベースシーケンスｓ５１２，ｍは、４つの非オーバーラップ周波数ビンのセットを占有し、従って、時間および周波数の両方において直交する。m番目のベースシーケンスは、周波数ビンｍ，ｍ＋４，ｍ＋８，ｍ＋１２，  ．．．を占有する。本開示の１つの面において、変形されたゴレイシーケンスは、時間または周波数ドメインフィルタリングを使用して、全体５１２個のサブキャリアというより、使用されたサブキャリアのみが読み込まれることを確実にするために、通常のゴレイ相補的シーケンスのような他のゴレイシーケンスから発生される。
【００４８】
本出願で使用されａおよびｂと名づけられた用語“通常のゴレイ相補的シーケンス”は、以下のパラメータを使用して発生することが出来る：
ｍ＝０：Ｍ−１で、セット２ｍから区別されたエレメントを持った長さＭの遅延ベクトルＤ；および、
ＱＰＳＫコンステレーション（±１，±ｊ）からのエレメントを持った長さＭのシード（ｓｅｅｄ）ベクトルＷ。
【００４９】
図５は、本開示の幾つかの面におけるゴレイコード発生器または符合されたフィルタのいずれかのように採用されうるゴレイコード回路５００を例解する。ゴレイコード回路５００は、第１の入力信号に、固定遅延Ｄ＝［Ｄ（０），Ｄ（１），．．．，Ｄ（Ｍ−１）］の決定されたセットを提供するように構成された遅延エレメント５０２−１から５０２−Ｍまでのシーケンスを含む。遅延エレメント５０２−１から５０２−Ｍまでによって提供された遅延プロファイルは、ゴレイコード回路５００が複数のゴレイ相補的コード対を生成するように構成されたときであっても、固定されうる。ゴレイコード回路５００は、また、複数のシード信号を発生するために、第２の入力信号に、複数の異なるシードベクトルＷｉ＝［Ｗ（０），Ｗ（１），．．．，Ｗ（Ｍ−１）］の少なくとも１つを乗算するように構成された適用可能なシードベクトル挿入エレメント５３０−１から５３０−Ｍまでのシーケンスを含む。適用可能なシードベクトル挿入エレメント５３０−１から５３０−Ｍまでのシーケンスの各々からの出力は、遅延エレメント５０２−１から５０２−Ｍまでの各々の夫々の出力に結合されるコンバイナ５１０−１から５１０−Ｍまでの第１のセットに供給される。図５において示されるようなゴレイコード回路５００の実現において、シードベクトル挿入エレメント５３０−１から５３０−Ｍまでの各々の出力は、その夫々の遅延エレメント５０２−１から５０２−Ｍまでの出力に、コンバイナ５１０−１から５１０−Ｍまでの第１のセットの夫々の１つによって、結果の前に加算され、それから次のステージに供給される。コンバイナ５２０−１から５２０−Ｍまでの第２のセットは、遅延エレメント５０２−１から５０２−Ｍまでからの遅延信号を、シードベクトルによって乗算された信号に結合するように構成される。ここで、シード信号は、ゴレイコード回路５００における遅延信号から減算される。
【００５０】
本開示のある面に従って実現された受信機は、そのような機能性を、パケットやフレーム検出として提供するように、受信した信号の符合するフィルタリングを実行する類似のゴレイコード発生器を採用することが出来る。
【００５１】
１つの面において、ゴレイコード（ａ１，ａ２，ａ３，およびａ４）は、以下のテーブルに示されるように、遅延ベクトル（Ｄ１，Ｄ２，Ｄ３およびＤ４）と、対応するシードベクトル（Ｗ１，Ｗ２，Ｗ３およびＷ４）とを結合することによって発生されうる：
【表１】
2014112894.tif 000003
【００５２】
第１、第２、および第４のシーケンスはａの型であり、一方第３のシーケンスはｂの型である。好ましいシーケンスは、最小のサイドローブレベルと最小の相互相関を有するように最適化される。
【００５３】
本開示の幾つかの面において、ベースレートは、ピコネット、ビーム形成、および他の制御機能に関連付けた制御フレームおよび命令フレームを交換するのに使用されるＯＦＤＭシグナリング動作に対して採用されうる。ベースレートは、最適な範囲を実現するために採用される。１つの面において、シンボルあたり３３６個のデータサブキャリアは、ベースデータレートを実現するために周波数ドメインを持って採用される。３３６個のサブキャリア（サブキャリア−１７６から１７６まで）は、プリアンブルに関して記述されるように、４つの非オーバーラップビンに分割することが出来、各セットは、同一の周波数バンド中で動作している複数のＰＮＣの１つに割り当てることが出来る。例えば、第１のＰＮＣは、サブキャリア−１７６，−１７２，−１６８，．．．，１７６に割り当てることが出来る。第２のＰＮＣは、サブキャリア−１７５，−１７１，−１６７，．．．，１７３等に割り当てることが出来る、等々である。さらに、各ＰＮＣは、多数のサブキャリアを通して配布するデータをスクランブルするように構成されうる。
【００５４】
ＩＥＥＥ  ８０２．１５．３において、ピコネットタイミングは、さらに以下で説明されるように、ＰＮＣがビーコンフレームを、その間に送信するビーコン期間と、ＣＳＭＡ／ＣＡプロトコルに基づくコンテンションアクセス期間（ＣＡＰ）と、管理（ＭＣＴＡ）および通常のＣＴＡに対して使用されるチャネル時間割り当て期間（ＣＴＡＰ）とを含むスーパーフレームに基づく。
【００５５】
ビーコン期間の間、クアジオムニまたは“Ｑ−オムニ”と称される、ほぼ無指向性のアンテナパターンを持ったビーコンは、第１に送信される。指向性のビーコン、即ち、ある方向にあるアンテナ利得を使用して送信されるビーコンは、ビーコン期間の間、または２つのデバイスのＣＴＡＰにおいて追加的に送信されうる。
【００５６】
指向性のビーコンを送信するときにオーバーヘッドを低減するために、プリアンブルは、より高いアンテナ利得に対して、短縮化（例えば、繰り返しの回数が低減）されうる。例えば、０−３ｄＢのアンテナ利得が提供されるとき、ビーコンは、８つの長さ５１２の変形されたゴレイコードと、２つのＣＥＳシンボルを具備するデフォルトプリアンブルを使用して送信される。３−６ｄＢのアンテナ利得に対して、ビーコンは、同一の変形されたゴレイコードの４つの繰り返しと、２つのＣＥＳシンボルとの短縮化されたプリアンブルを採用する。６−９ｄＢのアンテナ利得に対して、ビーコンは、同一の変形されたゴレイコードの２つの繰り返しと、１つまたは２つのＣＥＳシンボルとの短縮化されたプリアンブルを採用する。９ｄＢまたはそれより多くののアンテナ利得に対して、ビーコンプリアンブルは、同一の変形されたゴレイコードの１つのみの繰り返しを採用する。もし、ヘッダー／ビーコンが、ビーコニング間や、データパケットに対して使用される場合、ヘッダーデータ拡散ファクターは、アンテナ利得に符合されうる。
【００５７】
本開示の様々な面は、アンテナ構成、ビーム形成、および使用モデルの広い範囲をサポートする統合化されたメッセージングプロトコルを提供する。例えば、アンテナ構成は、無指向性やクアジオムニアンテナ、単一アンテナの指向性アンテナパターン、ダイバーシティスイッチアンテナ、セクタ化アンテナ、ビーム形成アンテナ、また他のアンテナ構成を含みうる。ビーム形成動作は、ＰＮＣとデバイスとの間で実行されるプロアクティブなビーム形成、および、２つのデバイス間で実行されるオンデマンドのビーム形成を含むことが出来る。プロアクティブなビーム形成、およびオンデマンドのビーム形成の両方に対する異なる使用モデルは、ＰＮＣから複数のデバイスへと、また少なくとも１つのデバイスからＰＮＣへとのパケットごとのビーム形成、ＰＮＣから、ただ１つのデバイスへの送信、デバイス間の通信、および他の使用モデルを含む。プロアクティブなビーム形成は、ＰＮＣが複数のデバイスに対するデータソースであるとき有用であり、ＰＮＣは、パケットが向かっている１つあるいはそれより多くのデバイスの位置の各々に対応する異なる物理的な方向にパケットを送信するように構成される。
【００５８】
幾つかの面において、統合された（ＳＣ／ＯＦＤＭ）メッセージングプロトコルは、ワイヤレス通信ネットワーク１４００におけるデバイス中で使用されるビーム形成アルゴリズムおよびアンテナ構成とは独立である。これにより、採用された実際のビーム形成アルゴリズム中の柔軟性を許容する。しかし、ビーム形成を可能化するツールは規定しなくてはならない。これらのツールは、待ち時間の低減、オーバーヘッドの低減、高速のビーム形成を可能化しつつ、全てのシナリオをサポートしなくてはならない。
【００５９】
以下のテーブルは、本開示の面によって採用されうる４つの型のシングルキャリアビーム形成パケットを示す：
【表２】
2014112894.tif 000004
【００６０】
これらは、共通モードを使用しながら送信されるシングルキャリアパケットであるので、シングルキャリアおよびＯＦＤＭデバイスの両方によってデコードされうる。送信されたパケットの多数は、ボディーは有さず、プリアンブルのみを有する。
【００６１】
パケットの異なる型は、コーディング利得とアンテナ利得の両方を考慮に入れて、送信の総合計利得を実質的に等価化するような方法で、異なるアンテナ利得に対して採用されうる。例えば、０−３ｄＢアンテナ利得を持ったＱ−オムニ送信は、型１のパケットを採用しうる。３−６ｄＢアンテナ利得を持った指向性の送信は、型ＩＩのパケットを採用しうる。３−６ｄＢアンテナ利得を持った指向性の送信は、型ＩＩのパケットを採用しうる。６−９ｄＢアンテナ利得を持った指向性の送信は、型ＩＩＩのパケットを使用しうる。また、９−１２ｄＢアンテナ利得を持った指向性の送信は、型ＩＶのパケットを使用しうる。
【００６２】
図６は、プロアクティブなビーム形成を実行するための開示の様々な面によって採用されるであろうスーパーフレーム構造６００を例解する。ＰＮＣとデバイス間のマルチパスチャネル環境は、可逆的関係を想定する。即ち、ＰＮＣからデバイスへのチャネルは、デバイスからＰＮＣへのチャネルと同一である。スーパーフレーム構造６００は、ビーコン部分６５０、ＣＳＭＡ／ＣＡプロトコルに基づいたコンテンションアクセス期間（ＣＡＰ）６６０、および、管理（ＭＣＴＡ）および通常のＣＴＡに対して使用されるチャネル時間割り当て期間（ＣＴＡＰ）６８０を含む。ビーコン部分６５０は、Ｑ−オムニセクションおよび指向性セクションを含む。Ｑ−オムニセクションは、Ｑ−オムニビーコン６１０−１から６１０−Ｌまでによって表示された複数のＱ−オムニビーコンであるスーパーフレーム構造６００におけるＬ個の送信を含み、各々は、複数のＭＩＦＳ ６２０−１から６２０−Ｌまでで表示されたＭＩＦＳ（ガード時間である最小フレーム間スペーシング）の夫々によって分離される。
【００６３】
ＣＡＰ６６０は、複数のサブＣＡＰ（Ｓ−ＣＡＰ）に分割され、それはＳ−ＣＡＰ６６２−１から６６２−Ｌまでで表示され、各々は夫々のガード時間（ＧＴ）が続き、これはＧＴ６６４−１から６６４−Ｌまでによって表示される。指向性のセクション６３０−１から６３０−ｘまでは、複数の指向性のプリアンブルを含む。
【００６４】
図７において、図６のスーパーフレーム構造６００と類似のスーパーフレーム構造７００における第１のＬ個の送信は、共に、ビーコン送信の無指向性パターンを提供するＱ−オムニビーコンを使用する。無指向性のカバレージが可能なＰＮＣ、即ち、無指向性の型のアンテナを有するＰＮＣに対して、Ｌ＝１である。セクタ化されたアンテナを持ったＰＮＣに対して、Ｌは、ＰＮＣがサポート出来るセクタの数を表示する。同様に、ＰＮＣが、交換送信ダイバーシティアンテナを持って提供されるとき、ＬはＰＮＣにおける送信アンテナの数を表示する。
【００６５】
さらに、図７に示される本開示の面において、ＰＮＣは、Ｊ＝Ｎ×Ｍの方向においてビーム形成するように構成される。特に、ＰＮＣは、ビーム形成プロセスの一部として、決定された数の方向で、指向性のビーコンを送信することが出来る。１つの面において、各指向性のビーコンは、プリアンブルのみで構成され、ヘッダーもデータも無い。これらの指向性のビーコンは、指向性のプリアンブルと称される。ＰＮＣは、スーパーフレームビーコン＃１ ７０２−１に対する指向性プリアンブル７３０−１−１から７３０−１−Ｎまでから、スーパーフレームビーコン＃Ｍ ７０２−Ｍに対する指向性プリアンブル７３０−Ｍ−１から７３０−Ｍ−Ｎまでの指向性のプリアンブルによって表示されるように、指向性のプリアンブルをＪ個の方向に送信することが出来る。ここで、１つの方向は、１つあるいはそれより多くのビームを含みうる。指向性のプリアンブルは、スーパーフレーム７０２−１から７０２−Ｍまでによって例解されるように、１つのスーパーフレームあたりＮ個の指向性のプリアンブルを持ったＭ個のスーパーフレームに渡って配布され、構造は、Ｍ個のスーパーフレームの期間で周期的である。
【００６６】
ＣＡＰは、Ｌ個のＱ―オムニビーコンに対応するＬ個のサブＣＡＰ期間に分割される。１番目のＳ−ＣＡＰの間、ＰＮＣアンテナは、通常送信するのと同様の方向に、１番目のＱ−オムニビーコンを送信する。このケースでは、チャネルは可逆的であることを想定する。
【００６７】
第１のＬ個のビーコンは、任意のパケット型でありうる。１つの面において、無指向性ビーコンは、長いプリアンブルを持った型Ｉのパケットを使用し；３−６ｄＢの利得を持ったセクタ化されたアンテナまたはアンテナアレイでもって送信されたＱ―オムニビーコンは、型Ｉまたは型ＩＩのパケットを使用し；および、６−９ｄＢの利得を持ったセクタ化されたアンテナまたはアンテナアレイを使用するＱ―オムニビーコンは、型Ｉ、型ＩＩ、または型ＩＩＩのパケットを使用することが出来る。１つの面において、使用されたパケット型は、ＳＦＤにおける他のデバイスに通信する。従って、ＳＦＤの首尾よき検出で、デバイスは、パケットの後続の部分に対するヘッダーおよびデータレートの知識を保有することが出来、その知識をパケットの首尾よきデコードに使用することが出来る。
【００６８】
各Ｑ―オムニビーコンは、図８Ａに示されるように、ＰＮＣを傾聴している全てのデバイスにビーム形成ビーコンの構造を伝送するために、ビーム形成情報エレメント８４０を搬送することが出来る。ひとたび、デバイスが任意のスーパーフレームの間に、Ｑ―オムニビーコンの任意の１つをデコードすると、全体のビーム形成サイクルを理解することが可能となる。１つの面において、ビーム形成情報エレメント８４０は、指向性パケット型フィールド８４２（例えば、型Ｉ、型ＩＩ、型ＩＩＩ、または型ＩＶ）、現時点の指向性ビーコン識別子（ＩＤ）フィールド８４４、ビーム形成サイクルフィールド８４６あたりのスーパーフレームの数（例えば、図７のフレーム構造７００からの値Ｍ）、スーパーフレームフィールド８４８あたりの指向性のプリアンブルの数（例えば、図７のフレーム構造７００からの値Ｎ）、現時点のＱ―オムニビーコンＩＤフィールド８５０、Ｑ―オムニビーコンフィールド８５２の数（例えば、図７のフレーム構造７００からの値Ｌ）、情報エレメントにオクテットの数を含む長さフィールド８５４、および、情報エレメントの識別子であるエレメントＩＤフィールド８５６を含む。現時点のＱ―オムニビーコンＩＤフィールド８５０は、スーパーフレームにおけるＱ―オムニビーコンフィールド８５２の数に関して、現時点のスーパーフレームで送信されている現時点のＱ―オムニビーコンの番号／位置を識別する番号を含む。デバイスは、現時点のＱ―オムニビーコンＩＤフィールド８５０中に含まれる数を使用して、それがビーコンを聞いたのが、どのＱ―オムニ方向であるかを知るであろう。
【００６９】
図８Bは、ビーム形成情報エレメント８４０を持って送信され、ＰＮＣアドレスフィールド８６２、ＰＮＣ応答フィールド８６４、ピコネットモード８６６、最大送信パワーレベル８６８、Ｓ−ＣＡＰ期間フィールド８７０、Ｓ−ＣＡＰ期間フィールドの数８７２、ＣＡＰ終了時間フィールド８７４、スーパーフレーム期間フィールド８７６、および時間トークン８７８を含むスーパーフレーム情報エレメント８６０を例解する。
【００７０】
図９Ａおよび９Ｂは、本開示の様々な面に従って、デバイスによるビーム形成動作に対する２つのアプローチを例解する。図９Ａは、無指向性受信能力を持ったデバイスのビーム形成プロセスに向けられている。ステップ９０２において、無指向性のデバイスは、１つのスーパーフレームのＱ―オムニビーコンを検出することのみ必要とされる。もし、デバイスが、無指向性でない場合、デバイスは、ビーコンを検出するために、各受信した方向に対する１つのスーパーフレームを傾聴することによって、それが受信した方向を全部掃引する必要がある。ステップ９０４において、Q−オムニビーコンを検出すると、デバイスはリンク品質ファクター（ＬＱＦ）を、各Q−オムニビーコンに対して記憶する。それから、ステップ９０６において、デバイスは、Ｌ  ＬＱＦ，［ＬＱＦ（１），．．．，ＬＱＦ（Ｌ）］をソーティングし、最も高いＬＱＦに対応するベストなＰＮＣ方向１を識別する：
１＝ａｒｇ｛ｍａｘ［ＬＱＦ（ｉ）］｝
Ｉ＝１：Ｌ
１つの面において、ＬＱＦは、信号強さ、信号対雑音比、信号対雑音干渉比の少なくとも１つに基づく。別の面において、ＬＱＦは、また、これまでに言及したファクターの任意の組み合わせに基づきうる。
【００７１】
ステップ９０８において、デバイスは、自身を、現時点のスーパーフレームの１番目のＣＡＰの間に、ＰＮＣに関係付け、ステップ９１０において、ＰＮＣに、全ての更なる通信は、１番目のＱ―オムニ方向を使用して、ＰＮＣを持って起こらねばなら無いことを通知する。デバイスは、依然として、Ｑスーパーフレームの全ての対応するS―オムニビーコンをモニタすることによって、Ｌ個のベスト方向のセットを追尾するであろう。ベターなＬＱＦでもって方向（例えば、ｒ番目のS―オムニ方向）が発見された場合、デバイスは、ＰＨＹヘッダー中の“次の方向”フィールドに、その方向をエンコードすることによって、ＰＮＣに、次のパケットをｒ番目の  S―オムニ方向を使用して送信するように通知することが出来る。
【００７２】
図９Ｂは、本開示のある面に従って、単一の指向性のアンテナを持って、デバイスによって実行されるビーム形成プロセス９２０を例解する。ステップ９２２において、デバイスは、Ｍ個のスーパーフレームの全部のサイクルを受信することが出来、デバイスがＱ―オムニビーコンの１つを検出するとき、それがｍ番目のスーパーフレームを受信していることを知り、スーパーフレームｍ，ｍ＋１，．．．，ｍ＋Ｍ−１を傾聴するであろう。
【００７３】
Ｍ個のスーパーフレームのサイクルの間、デバイスは、ステップ９２４において、Ｊ個の指向性ＰＮＣ方向に対応するＪ個のＬＱＦを測定し、記憶し、およびソーティングする。同一のサイクルの間、ステップ９２６において、デバイスは、Ｌ個のS―オムニＰＮＣ方向に対応するＬ個のＬＱＦを測定する。それから、ステップ９２８において、デバイスは、ベストな指向性の方向、ｊ、および、ベストなＱ―オムニ方向、１を決定する。デバイスは、（ｍ＋Ｍ−１）番目のスーパーフレームの１番目のＣＡＰの間、ＰＮＣに関係付けし、ステップ９３０において、全ての更なる通信は、ｊ番目の指向性の方向を使用して、ＰＮＣを持って起こるべきであることを、ＰＮＣに通知する。選択的に、デバイスは、Ｑ×Ｍスーパーフレームの全ての対応する指向性のビーコンをモニタすることによって、Ｊ個の方向のセットを追尾し続けることが出来る。ベターなＬＱＦでもって方向ｒが発見された場合、デバイスは、ＰＨＹヘッダー中の“次の方向”フィールドに方向ｒをエンコードすることによって、ＰＮＣに、デバイスに対する指向性のビームパターンを更新することを命令する。
【００７４】
図１０Ａは、本開示の面に従い、少なくとも１つのＱ−オムニ方向とＩ個の指向性の方向で、送信することと受信することが可能な、指向性のデバイスを持って実行されうるビーム形成プロセス１０００の概観を例解する。ステップ１０１０において、デバイスは、Ｑ−オムニビーコン検出を実行するであろう。ひとたびビーコンが検出されると、ステップ１０２０において、デバイスは、指向性のプリアンブルおよびＬＱＦに対する検出を実行するであろう。ステップ１０３０において、デバイスは、指向性のプリアンブルの好ましいセットの再スキャンを選択的に行うことが出来る。再スキャンは、デバイスが、選択されたＱ−オムニ方向が好ましいと認識することを許容するであろう。最後に、ステップ１０４０において、デバイスは、好ましいＬＱＦに基づいて、自身をＰＮＣに関係付けるであろう。
【００７５】
図１０Ｂは、ビーコン検出プロセス１０１０を詳述する。ここで、ステップ１０１０−１から始めて、デバイスは、タイムアウトを設定し、Ｑ−オムニ方向の１つでビーコンの検索を開始する。デバイスは、ステップ１０１０−２において時間が満了していない限り、Ｑ−オムニビーコンの検索をするであろう。ステップ１０１０−３において決定されるように、もし、検出が成功すれば、デバイスはビーコン情報を読み取り、Ｑ−オムニ送信の全てのタイミングパラメータ、およびスーパーフレームを取得するであろう。もし、ｍ番目のスーパーフレームの間にデバイスが傾聴を開始した場合、Ｑ−オムニビーコン（例えば、Ｑ−オムニビーコン番号１）を検出すると、ｍ番目のスーパーフレームの間にデバイスが傾聴しているということをデバイスは発見する。デバイスは、その指向性のパターンを、ビーコンの方向に設定することが出来る。もしデバイスが、Ｑ−オムニビーコンを検出しない場合、ステップ１０１０−４で動作は継続し、ここでデバイスは、自身のピコネットを開始するか、代替的に、スリープモードに入るかすることが出来る。
【００７６】
図１０Ｃは、指向性のプリアンブル取得およびＬＱＦ決定プロセス１０２０を詳述する。ここで、１つの面において、ステップ１０２０−１から１０２０−５までに詳述されたように、デバイスは、Ｉ×Ｊ個のスーパーフレームを傾聴することが出来、Ｉ個の方向の各々に対するＪ個のスーパーフレームは、以下のようである。デバイスは、その指向性の方向を番号１に設定し、ステップ１０２０−２、１０２０−３、および１０２０−１に示されるように、Ｍ個のスーパーフレーム（ｍ，ｍ＋１，．．．，ｍ＋Ｍ−１）を傾聴し、および、対応するＪ個のＬＱＦ，ＬＱＦ（１，１），．．．，ＬＱＦ（１，Ｊ）を記憶する。ここで、第１のインデックスは、デバイスの方向を言及し、一方、第２のインデックスは、ＰＮＣ方向を言及する。ステップ１０２０−３において、デバイスは、その指向性の方向を番号２に設定し、次のスーパーフレームを傾聴し、および、ステップ１０２０−１中のＪ個のＬＱＦ：ＬＱＦ（２，１），．．．，ＬＱＦ（２，Ｊ）を記憶する。これらのステップは、決定された時間の数（例えば、Ｍ個）だけ繰り返される。最終の反復で、デバイスは、指向性の方向を番号１に設定し、次のスーパーフレームを傾聴し、Ｊ個のＬＱＦ（Ｉ，１）  ，．．．，ＬＱＦ（Ｉ，Ｊ）を記憶する。
【００７７】
図１０Ｄは、ベストな指向性の決定プロセス１０３０を詳述する。ここで、ステップ１０３０−１において、デバイスは、デバイスに付いては、そのｉ番目の指向性の方向を使用し、ＰＮＣに付いては、ｊ番目の指向性の方向を使用し、ベストな指向性の組み合わせ（ｉ，ｊ）を発見する。対応するＪ個のＬＱＦ，ＬＱＦ（１，１），．．．，ＬＱＦ（１，Ｊ）をソーティングする。ステップ１０３０−２において、デバイスは、ベストな指向性の方向の検証のために、また別のＩ×Ｍのスーパーフレームを傾聴することが出来る。
【００７８】
図１０Ｅは、ＰＮＣを持ったデバイス関連付け（Association）プロセス１０４０を詳述する。ここで、ステップ１０４０−１において、デバイスは、指向性のパターンを＃１に設定し、スーパーフレームカウンターをゼロにリセットする。それから、ステップ１０４０−２から１０４０−５までにおいて、デバイスは、基地局に関係付けし、およびＰＮＣに好ましい方向情報を伝達するように試みるであろう。１つの面において、デバイスは、第１番目のＳ−ＣＡＰ期間の間に、情報をＰＮＣに送信し、ＰＮＣに、この時間においてベストな方向を通知する。ステップ１０４０−４において、関係付けが成功である場合、動作はステップ１０−６まで継続する。ここで、デバイスは、取得の成功を宣言し、その指向性のパターンをベストな方向にスイッチする。
【００７９】
本開示の別の面において、デバイスは、また、繰り返しプロセスを実行することが出来、その指向性の方向を番号１に設定し、現時点のスーパーフレームの間、Ｎ個の指向性のビーコンを傾聴する。もし、適切なＬＱＦを有するＰＮＣの指向性の方向に対応する方向ｊが発見された場合、デバイスは、第１番目のＳ−ＣＡＰ期間の間に、ＰＮＣに関係付け、ＰＮＣにデータ通信に対してｊ番目の方向を使用するように通知する。デバイスは、依然として、より良い方向を求めてスキャンを選択しうる。そして、もし、１つ発見された場合、ＰＨＹヘッダー中の“次の方向”フィールドにエンコードすることによって、ＰＮＣに新しい方向にスイッチするように通知する。もし、適切な方向が発見されなかった場合、デバイスは、方向１と直交する別の方向（例えば、方向ｒ）にスイッチし、次のスーパーフレームを傾聴する。このプロセスは、適切な方向が発見されるまで繰り返すことが出来る。
【００８０】
オンデマンドビーム形成は、２つのデバイス間、またはＰＮＣと１つのデバイス間で実行されうる。本開示の１つの面において、オンデマンドビーム形成は、２つのデバイス間のリンクに割り当てられたＣＴＡにおいて実行される。デバイスが複数のデバイスと通信しているとき、プロアクティブなビーム形成メッセージングプロトコルと同一のメッセージングプロトコルが使用される。このケースにおいて、ＣＴＡは、ビーム形成フェーズの間、ビーコン期間の働きをし、その後、データ通信に対して使用されるであろう。２つのみのデバイスが通信しているケースにおいて、ＣＴＡは、それらの間の直接のリンクであるので、もっと協調的で対話的なオンデマンドビーム形成メッセージングプロトコルを採用することが可能である。
【００８１】
Ｑ−オムニフェーズにおいて、第１のデバイスは、Ｌ１のＱ−オムニパケットで第１の送信を開始し、図１１に示されるようなＱ−オムニ傾聴期間に対応するＬ１が続く。第１のデバイスは、第２のデバイスが応答を戻すまで、このセクションを繰り返し続ける。各Ｑ−オムニトレーニングパケットは、図１２Ａにおいて示されるようなＱ−オムニトレーニングパケットＩＥを含む。Ｑ−オムニトレーニング応答パケットＩＥは、図１２Ｂにおいて示される。
【００８２】
Ｌ２個のＱ−オムニ方向が可能な第２のデバイスは、受信方向を、Ｌ２個の方向の１つに設定し、デバイス１の第１のＬ１個の送信を傾聴し、Ｌ１個のＬＱＦを記憶する。デバイス２は、新しい方向に移動し、デバイス１のＬ１個の送信の第２の期間を傾聴する。このプロセスは、適切なＬＱＦが発見されるまで繰り返されうる。代替的に、デバイス２は、全てのＬ２個の方向を使用して傾聴することを選択することが出来、それからベストなＬＱＦを発見することが出来る。このフェーズの終了において、両方のデバイスは、データを交換するために使用されるＱ−オムニ方向のベストな組み合わせを知る。
【００８３】
デバイス２は、デバイス１に、そのＱ−オムニ能力（即ち、Ｌ２、および、全てのメッセージングに対して使用されるであろう、それ自身の第１および第２のベストな方向）を通知するために、Ｑ−オムニトレーニング応答パケットＩＥを使用することが出来る。さらに、デバイス２は、デバイス１に、Ｌ１個の方向から発見された第１および第２のベストな方向を通知することが出来る。デバイス１のベストなＱ−オムニ方向は、１１と標識付けされ、デバイス２のベストなＱ−オムニ方向は、１２と標識付けされうる。同様に、デバイス２は、デバイス１に、その指向性の能力を通知することが出来る。
【００８４】
図１３Ａ−１３Ｃは、オンデマンドビーム形成の指向性のフェーズに関係する。第１のデバイスは、ビーム形成を実行するためにＲ回のサイクルを使用する。Ｒ回のサイクルは、１つのＣＴＡで発生しうるか、またはＭ個のスーパーフレームに渡って分配されうる。各サイクルは、Ｋ個のサブサイクルを具備し、ここでＮおよびＫは、１つのサイクルから別のサイクルに変化しうる。これは、ランダムおよび二進検索のような異なる検索アルゴリズムを許容するであろう。これは、また、取得と追尾の間の差異化を補助する。各サイクルは、現時点のサイクルの構造の輪郭を描くＱ−オムニ送信によって先行される。各サブサイクルは、Ｎ個の指向性のプリアンブルを含み、Ｑ−オムニ傾聴期間が続く。図１３Ｂは、Ｑ−オムニビーコンで送信されるＩＥを示し、応答のフォームは、図１３Ｃに例解される。
【００８５】
ワイヤレスネットワーク１４００の幾つかの面は、図１４を参照しながら示され、これは、ＩＥＥＥ８０２．１５．３ｃパーソナルエリアネットワーク（ＰＡＮ）標準規格とコンパチブルな態様で形成されたネットワークであり、本出願においてピコネットと称される。ネットワーク１４００は、複数のデータデバイス（ＤＥＶ）１４２０のような多数の独立のデータデバイスが、お互いに通信することを許容するワイヤレスアドホックデータ通信システムである。ネットワーク１４００に類似した機能性を持ったネットワークは、通信がデバイスの対の間である場合、また、ベーシックサービスセット（ＢＳＳ）とか、独立のベーシックサービス（ＩＢＳＳ）とも称される。
【００８６】
複数のＤＥＶ１４２０の各ＤＥＶは、ネットワーク１４００のワイヤレス媒体にインターフェースするＭＡＣおよびＰＨＹを実現するデバイスである。複数のＤＥＶ１４２０中のデバイスに類似した機能性を持ったデバイスは、アクセス端末、ユーザ端末、移動局、加入者局、局、ワイヤレスデバイス、端末、ノード、または他の幾つかの適切な術語と呼ばれうる。本開示を通して記述された様々な概念は、それらの特有の用語に関係なく、全ての適合可能なワイヤレスノードに適用することが意図されている。
【００８７】
ＩＥＥＥ  ８０２．１５．３ｃにおいて、１つのＤＥＶは、ピコネットのコーディネータの役割を想定しうる。このコーディネートするＤＥＶは、ピコネットコーディネータ（ＰＮＣ）と呼ばれ、図１４において、ＰＮＣ１４１０として例解される。従って、ＰＮＣは、複数の他のデバイスと同一のデバイス機能性を含むが、ネットワークに対するコーディネーションを提供する。例えば、ＰＮＣ１４１０は、ビーコンを使用しているネットワークに対する基礎的タイミング；および任意のサービスの品質（ＱｏＳ）要求の管理、電力節約モード、およびネットワークアクセス制御のようなサービスを提供する。他のシステムにおいてＰＮＣ１４１０に対して記述されたような同様の機能性を持ったデバイスは、アクセスポイント、基地局、基地トランシーバ局、局、端末、ノード、アクセスポイントとして動作しているアクセス端末、または他の幾つかの適切な術語と呼ばれうる。ＰＮＣ１４１０は、スーパーフレームと呼ばれる構造を使用して、ネットワーク１４００における様々なデバイス間の通信をコーディネートする。各スーパーフレームは、時間に基づいて、ビーコン期間によって拘束される。
【００８８】
ＰＮＣ１４１０は、また、他のネットワークまたはＰＮＣと通信するために、システムコントローラ１４３０に結合されうる。
【００８９】
図１５は、本開示の様々な面で持って使用されうるプリアンブル発生装置１５００を例解し、プリアンブル発生装置１５００は、拡張されたゴレイコードのセットから選択された、拡張されたゴレイコードを取得するための拡張されたゴレイコード選択モジュール１５０２と、拡張されたゴレイコード選択モジュール１５０２からの拡張されたゴレイコードを変形する、拡張されたゴレイコード変形モジュール１５０４と、拡張されたゴレイコード変形モジュール１５０４からの変形された拡張されたゴレイコードを使用してプリアンブルを発生するプリアンブル発生器１５０６とを含んでいる。プリアンブル送信機１５０８は、それからプリアンブルを送信する。
【００９０】
図１６は、本開示の様々な面を持って使用されうるクアジオムニパケットおよび指向性のプリアンブル送信機装置１６００を例解し、クアジオムニパケットおよび指向性のプリアンブル送信機装置１６００は、各クアジオムニパケットが特有のクアジオムニパターンで送信され、複数のクアジオムニパケットを送信するクアジオムニパケット送信機モジュール１６０２と；各プリアンブルが、複数の指向性のパターンの１つで送信され、ここで複数のクアジオムニパケットおよび複数のプリアンブルが、ビーム形成プロファイルを決定するために使用される、第１のデバイスから複数のプリアンブルを送信する指向性のプリアンブル送信機モジュール１６０４とを含んでいる。
【００９１】
図１７は、本開示の様々な面を持って使用されうるビーム形成フィードバック装置１７００を例解し、ビーム形成フィードバック装置１７００は、第１のデバイスから複数のクアジオムニパターンで送信された複数のクアジオムニパケットの１つのクアジオムニパケットを検出するクアジオムニパケット検出モジュール１７０２と、第１のデバイスから指向性のパターンで送信されたプリアンブルを検出するプリアンブル検出モジュール１７０４と、検出されたクアジオムニパターンと検出された指向性のパターンの少なくとも１つを含んでいる好ましいパターン決定モジュール１７０６と、好ましいパターンを含んでいるフィードバックを、第１のデバイスに送信するフィードバック送信機モジュール１７０８とを含んでいる。
【００９２】
本出願において記述された様々な面は、標準的プログラミングおよび／またはエンジニアリング技法を使用している方法、装置、または生産品として実現することが出来る。本出願で使用される用語“生産品”は、コンピュータ読み出し可能なデバイスからアクセス可能なコンピュータプログラム、キャリア、または媒体を含むことを意図している。例えば、コンピュータ読み出し可能な媒体は、制限ではなく、磁気的記憶デバイス、光学的ディスク、デジタル多用途ディスク、スマートカード、およびフラッシュメモリデバイスを含みうる。
【００９３】
本開示は、好ましい面に限定することを意図していない。さらに、本技術分野の熟練者は、本出願において記述された方法および装置の面は、ハードウェア、ソフトウェア、ファームウェア、またはそれらの様々な組み合わせでの実現を含む様々なやり方で実現することが出来ることを認識するであろう。そのようなハードウェアの例は、ＡＳＩＣ、フィールドプログラマブルゲートアレイ、汎用目的プロセッサ、ＤＳＰ、および／または他の回路を含むことが出来る。本開示のソフトウェアおよび／またはファームウェア実現は、Ｊａｖａ（登録商標）、Ｃ、Ｃ＋＋、Ｍａｔｌａｂ（登録商標）、Ｖｅｒｉｌｏｇ、ＶＨＤＬ、および／またはプロセッサ特定マシーンおよびアセンブリ言語を含んでいる任意のプログラミング言語の組み合わせを介して実現することが出来る。
【００９４】
当業者は、本出願において開示された面に関係して記述された、様々な例解的な論理ブロック、モジュール、プロセッサ、手段、回路、およびアルゴリズムステップは、電子的なハードウェア（例えば、ソースコーディングや幾つかの他の技法を使用して設計されうるデジタルインプリメンテーション、アナログインプリメンテーション、または２つの組み合わせ）、（本出願において、便宜のため“ソフトウェア”とか“ソフトウェアモジュール”と称される）命令が取り込まれているプログラムや設計コードの様々な型、または、両方の組み合わせとして実現することが出来ることをさらに認識するであろう。このハードウェアとソフトウェアの交換可能性を明確に例解するために、様々な例解的コンポーネント、ブロック、モジュール、回路、およびステップが、上に一般的に機能性によって記述されてきた。そのような機能性が、ハードウェアまたはソフトウェアとして実現されるかは、特有のアプリケーションおよび全体のシステムに課される設計制約に依存する。熟練者は、記述された機能性を、各特有のアプリケーションに対して変化させたやり方で実現することが出来るが、そのような実現の決定は、本開示の範囲から逸脱すると解釈されるべきではない。
【００９５】
本出願に開示された面に関して記述された様々な例解的論理ブロック、モジュール、および回路は、集積回路（“ＩＣ”）、アクセス端末、またはアクセスポイント内や、それらによって実行されうる。ＩＣは、汎用目的プロセッサ、デジタル信号プロセッサ（ＤＳＰ）、特定用途集積回路（ＡＳＩＣ）、フィールドプログラマブルゲートアレイ（ＦＰＧＡ）、または他のプログラマブルロジックデバイス、ディスクリートゲートやトランジスタロジック、ディスクリートハードウェアコンポーネント、電気的コンポーネント、光学的コンポーネント、機械的コンポーネント、または本出願において記述された機能を実行するように設計された任意のそれらの組み合わせを具備し、ＩＣ内、ＩＣ外、または両方に存在するコードや命令を実行することが出来る。汎用目的プロセッサは、マイクロプロセッサでありうるが、代替的に、プロセッサは、また、任意の従来のプロセッサ、コントローラ、マイクロコントローラ、または状態マシーンでありうる。プロセッサは、また、コンピューティングデバイスの組み合わせ、例えば、ＤＳＰとマイクロプロセッサの組み合わせ、複数のマイクロプロセッサ、ＤＳＰコアに従う１つあるいはそれより多くのマイクロプロセッサ、または任意の他のそのような構成として実現することが出来る。
【００９６】
本出願において記述された方法およびシステム面は、単に、本開示の特有の面を例解する。本技術の熟練者は、本出願に明示的に記述や教示されていなくても、本開示や、その範囲内に含まれる原理を実現し、様々な構成を案出することが出来ることを認識すべきである。さらに、本出願において詳述された全ての例と条件的言語は、本開示の原理を読者が理解することを手助けするために、教育的な目的のためのみに意図されている。この開示およびその関係する参照は、そのような特有の詳述された例および条件に制限されること無く解釈されるべきである。さらに、原理、面、開示の面、特有のその例を詳述しながら本出願において言及された全ては、それらの構造的および機能的等価物を含むことを意図している。追加的に、そのような等価物、即ち、構造に関係なく同一の機能を実行するように開発された任意のエレメントは、現時点で知られている等価物、および将来開発される等価物の両方を含むことを意図している。
【００９７】
本出願におけるブロック図が、本開示の原理を体現する例解的回路、アルゴリズム、および機能ステップの概念的な概観を示すことは、本技術の熟練者によって認識されるべきである。同様に、任意のフローチャート、フロー図、信号図、システム図、コード、および類似のものは、コンピュータ読み出し可能な媒体において実質的に示されうる様々なプロセスを示し、コンピュータやプロセッサが明示的に示されていてもいなくても、コンピュータやプロセッサによって実行されることが認識されるべきである。
【図１】
2014112894.tif 000005
【図２Ａ】
2014112894.tif 000006
【図２Ｂ】
2014112894.tif 000007
【図４】
2014112894.tif 000008
【図５】
2014112894.tif 000009
【図６】
2014112894.tif 000010
【図７】
2014112894.tif 000011
【図８Ａ】
2014112894.tif 000012
【図８Ｂ】
2014112894.tif 000013
【図９Ａ】
2014112894.tif 000014
【図９Ｂ】
2014112894.tif 000015
【図１０Ａ】
2014112894.tif 000016
【図１０Ｂ】
2014112894.tif 000017
【図１０Ｃ】
2014112894.tif 000018
【図１０Ｄ】
2014112894.tif 000019
【図１０Ｅ】
2014112894.tif 000020
【図１１Ａ】
2014112894.tif 000021
【図１１Ｂ】
2014112894.tif 000022
【図１２Ａ】
2014112894.tif 000023
【図１２Ｂ】
2014112894.tif 000024
【図１３Ａ】
2014112894.tif 000025
【図１３Ｂ】
2014112894.tif 000026
【図１３Ｃ】
2014112894.tif 000027
【図１４】
2014112894.tif 000028
【図１５】
2014112894.tif 000029
【図１６】
2014112894.tif 000030
【図１７】
2014112894.tif 000031
【図３Ａ】
2014112894.tif 000032
【図３Ｂ】
2014112894.tif 000033
【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
第１のデバイスと第２のデバイスの間の通信の方法であって、
各クアジオムニパケットが特有のほぼ無指向性のパターンで送信されている複数のクアジオムニパケットを、前記第１のデバイスから前記第２のデバイスに送信することと、
各プリアンブルが複数の指向性のパターンの１つで送信されている複数のプリアンブルを、前記第１のデバイスから前記第２のデバイスに送信することと、ここで、前記第２のデバイスにおいて、前記複数のクアジオムニパケットおよび前記複数のプリアンブルが、ビーム形成プロファイルを決定するために使用されており、前記複数の指向性のパターンは、１つの特有のほぼ無指向性のパターンに基づいて発見可能であり、さらに、前記１つの特有のほぼ無指向性のパターンは、前記複数のクアジオムニパケットの少なくとも１つに基づいて識別可能であり、
前記複数の指向性のパターンを用いている前記第１のデバイスで、複数の方向に前記第２のデバイスから送信されるプリアンブルをモニタすることと、
前記第２のデバイスから受信されるプリアンブルに基づいて、前記複数の方向の各々に対するリンク品質ファクターを決定することと、
前記リンク品質ファクターに基づいて、前記複数の方向から好ましい方向を識別することと、
前記好ましい方向と、前記好ましい方向に対応するリンク品質ファクターをさらに具備するフィードバックを前記第２のデバイスに送信することとを具備する方法。
【請求項２】
各ほぼ無指向性のパターンは、
各指向性のパターンのカバレージよりも広いカバレージを有する請求項１記載の方法。
【請求項３】
各ほぼ無指向性のパターンは、
複数のセクタの１つと、
複数の方向の１つと、
交換アンテナアレイの複数のパターンの１つとの少なくとも１つを具備する請求項１記載の方法。
【請求項４】
前記複数のクアジオムニパケットの少なくとも１つは、
ビーコンを具備する請求項１記載の方法。
【請求項５】
要求されたパターンを具備する前記第２のデバイスからの関係付け要求を受信すること、前記要求されたパターンは、選択されたほぼ無指向性のパターンと選択された指向性のパターンとの少なくとも一方を有している、と、
前記要求されたパターンに基づいて、前記第２のデバイスに対する全ての将来の通信を送信することと、
をさらに具備する請求項１記載の方法。
【請求項６】
前記要求されたパターンは、
前記第２のデバイスによって識別されたリンク品質ファクターに基づいて選択される請求項５記載の方法。
【請求項７】
前記リンク品質ファクターは、
信号強さ、信号対雑音比、および信号対雑音干渉比の少なくとも１つに基づいている請求項６記載の方法。
【請求項８】
前記リンク品質ファクターは、
信号強さ、信号対雑音比、および信号対雑音干渉比の少なくとも１つに基づいている請求項１記載の方法。
【請求項９】
各クアジオムニパケットは、
クアジオムニパケットの少なくとも１つと、
クアジオムニパケットの数と、
クアンジオムに方向の全体の数とを具備する請求項１記載の方法。
【請求項１０】
第１のデバイスと第２のデバイスの間の通信の方法であって、
前記第２のデバイスから、複数のほぼ無指向性のパターンで送信された複数のクアジオムニパケットの少なくとも１つのクアジオムニパケットを第１のデバイスで検出することと、
前記少なくとも１つの検出されたクアジオムニパケットを使用して、前記第２のデバイスから、指向性のパターンで送信されたプリアンブルを検出することと、
前記指向性パターンで送信された前記プリアンブルを使用して、リンク品質ファクターを取得することと、
前記リンク品質ファクターの決定に基づいて、検出されたほぼ無指向性のパターンおよび検出された指向性のパターンの少なくとも１つを具備する好ましいパターンを決定することと、ここで、前記指向性のパターンは、１つの特有のほぼ無指向性のパターンに基づいて発見可能であり、さらに、前記１つの特有のほぼ無指向性のパターンは、前記クアジオムニパケットの少なくとも１つに基づいて識別され、
前記好ましいパターンと、前記好ましい方向に対応するリンク品質ファクターをさらに具備するフィードバックを、前記第２のデバイスに送信することとを具備する通信の方法。
【請求項１１】
各クアジオムニパケットは、
ビーコンを具備する請求項１０記載の方法。
【請求項１２】
前記検出は、
前記第２のデバイスから送信される前記プリアンブルを検出するために、複数のほぼ無指向性のパターンに渡って掃引することを具備する請求項１０記載の方法。
【請求項１３】
前記検出は、
前記リンク品質ファクターを取得するために、前記第１のデバイスの複数の指向性のパターンに渡って掃引することを具備する請求項１０記載の方法。
【請求項１４】
第２の装置と通信するための通信装置であって、
複数のクアジオムニパケットを、前記通信装置から送信する手段と、各クアジオムニパケットは、特有のほぼ無指向性のパターンで前記第２の装置に送信され、
複数のプリアンブルを、前記通信装置から前記第２の装置に送信する手段と、各プリアンブルは、複数の指向性のパターンの１つで送信され、ここで、前記第２のデバイスにおいて、前記複数のクアジオムニパケットおよび前記複数のプリアンブルが、ビーム形成プロファイルを決定するために使用されており、前記複数の指向性のパターンは、１つの特有のほぼ無指向性のパターンに基づいて発見可能であり、さらに、前記１つの特有のほぼ無指向性のパターンは、前記複数のクアジオムニパケットの少なくとも１つに基づいて識別可能であり、
前記複数の指向性のパターンを用いている前記通信装置で、複数の方向に前記第２の装置から送信されるプリアンブルをモニタする手段と、
前記プリアンブルに基づいて、前記複数の方向の各々に対するリンク品質ファクターを決定する手段と、
前記リンク品質ファクターに基づいて、前記複数の方向から好ましい方向を識別する手段と、
前記好ましい方向と、前記好ましい方向に対応するリンク品質ファクターをさらに具備するフィードバックを前記第２の装置に送信する手段と、
を具備する通信装置。
【請求項１５】
各ほぼ無指向性のパターンは、
各指向性のパターンのカバレージよりも広いカバレージを有する請求項１４記載の通信装置。
【請求項１６】
各ほぼ無指向性のパターンは、
複数のセクタの１つと、
複数の方向の１つと、
交換アンテナアレイの複数のパターンの１つとの少なくとも１つを具備する請求項１４記載の通信装置。
【請求項１７】
前記複数のクアジオムニパケットの少なくとも１つは、
ビーコンを具備する請求項１４記載の通信装置。
【請求項１８】
要求されたパターンを具備する前記第２の装置からの関係付け要求を受信する手段、前記要求されたパターンは、選択されたほぼ無指向性のパターンと選択された指向性のパターンとの少なくとも一方を有している、と、
前記要求されたパターンに基づいて、前記第２の装置に対する全ての将来の通信を送信する手段と、
をさらに具備する請求項１４記載の通信装置。
【請求項１９】
前記要求されたパターンは、
前記第２の装置によって識別されたリンク品質ファクターに基づいて選択される請求項１８記載の通信装置。
【請求項２０】
前記リンク品質ファクターは、
信号強さ、信号対雑音比、および信号対雑音干渉比の少なくとも１つに基づいている請求項１４記載の通信装置。
【請求項２１】
各クアジオムニパケットは、
クアジオムニパケットの少なくとも１つと、
クアジオムニパケットの数と、
クアンジオムに方向の全体の数とを具備する請求項１４記載の通信装置。
【請求項２２】
第２の装置と通信するための通信装置であって、
複数のほぼ無指向性のパターンで前記第２の装置から送信された複数のクアジオムニパケットの少なくとも１つのクアジオムニパケットを検出する手段と、
前記少なくとも１つの検出されたクアジオムニパケットを使用して、指向性のパターンで前記第２の装置から送信されたプリアンブルを検出する手段と、
前記指向性パターンで送信された前記プリアンブルを使用してリンク品質ファクターを取得する手段と、
前記リンク品質ファクターの決定に基づいて、検出されたほぼ無指向性のパターンおよび検出された指向性のパターンの少なくとも一方を具備する好ましいパターンを決定する手段と、ここで、前記指向性のパターンは、１つの特有のほぼ無指向性のパターンに基づいて発見可能であり、さらに、前記１つの特有のほぼ無指向性のパターンは、前記クアジオムニパケットの少なくとも１つに基づいて識別され、
前記好ましいパターンと、前記好ましい方向に対応するリンク品質ファクターをさらに具備するフィードバックを、前記第２の装置に送信する手段と、
を具備する通信装置。
【請求項２３】
各クアジオムニパケットは、
ビーコンを具備する請求項２２記載の通信装置。
【請求項２４】
前記検出手段は、
前記第２のデバイスから送信された前記プリアンブルを検出するために、複数のほぼ無指向性のパターンに渡って掃引する手段を具備する請求項２２記載の通信装置。
【請求項２５】
前記検出手段は、
前記リンク品質ファクターを取得するために、複数の指向性のパターンに渡って掃引する手段を具備する請求項２２記載の通信装置。
【請求項２６】
請求項１ないし１３の何れか１つの請求項のステップを実行するように構成された処理システムを具備する通信装置。
【請求項２７】
請求項１ないし１３の何れか１つの請求項のステップを実行するように少なくとも１つのプロセッサによって実行可能な命令を具備するワイヤレス通信用コンピュータプログラム。
【請求項２８】
アンテナと、
請求項１ないし１３の何れか１つの請求項のステップを実行するように構成された処理システムと、を具備するピコネットコーディネータ。
【請求項２９】
アンテナと、
請求項１ないし１３の何れか１つの請求項のステップを実行するように構成された処理システムと、を具備する通信デバイス。
【手続補正２】
【補正対象書類名】明細書
【補正対象項目名】００９７
【補正方法】変更
【補正の内容】
【００９７】
本出願におけるブロック図が、本開示の原理を体現する例解的回路、アルゴリズム、および機能ステップの概念的な概観を示すことは、本技術の熟練者によって認識されるべきである。同様に、任意のフローチャート、フロー図、信号図、システム図、コード、および類似のものは、コンピュータ読み出し可能な媒体において実質的に示されうる様々なプロセスを示し、コンピュータやプロセッサが明示的に示されていてもいなくても、コンピュータやプロセッサによって実行されることが認識されるべきである。
以下に、本願出願の当初の特許請求の範囲に記載された発明を付記する。
［Ｃ１］
複数のクアジオムニパケットおよび複数のプリアンブルが、ビーム形成プロファイルを決定するために使用されており、
各クアジオムニパケットが特有のクアジオムニパターンで送信されている前記複数のクアジオムニパケットを、第１のデバイスから送信することと、
各プリアンブルが複数の指向性のパターンの１つで送信されている前記複数のプリアンブルを、前記第１のデバイスから送信することとを具備する通信の方法。
［Ｃ２］
前記複数の指向性のパターンは、１つの特有のクアジオムニパターンに基づいているＣ１記載の方法。
［Ｃ３］
前記１つの特有のクアジオムニパターンは、
少なくとも１つのクアジオムニパケットを受信している第２のデバイスによって識別されるＣ２記載の方法。
［Ｃ４］
各クアジオムニパターンは、
各指向性のパターンのカバレージよりも広いカバレージを有するＣ１記載の方法。
［Ｃ５］
各クアジオムニパターンは、
複数のセクタの１つと、
複数の方向の１つと、
交換アンテナアレイの複数のパターンの１つとの少なくとも１つを具備するＣ１記載の方法。
［Ｃ６］
前記複数のクアジオムニパケットの少なくとも１つは、
ビーコンを具備するＣ１記載の方法。
［Ｃ７］
要求されたパターンが、
選択されたクアジオムニパターンと、選択された指向性のパターンとの少なくとも１つを具備しており、前記要求されたパターンを具備する第２のデバイスから関係付け要求を受信することと、
前記要求されたパターンに基づいて、前記第２のデバイスに対する全ての将来の通信を送信することとをさらに具備するＣ１記載の方法。
［Ｃ８］
前記要求されたパターンは、
前記第２のデバイスによって識別されたリンク品質ファクターに基づいて選択されるＣ７記載の方法。
［Ｃ９］
前記リンク品質ファクターは、
信号強さ、信号対雑音比、および信号対雑音干渉比の少なくとも１つに基づいているＣ８記載の方法。
［Ｃ１０］
前記第１のデバイスで、複数の方向からのプリアンブルをモニタすることと、
前記プリアンブルに基づいて、前記複数の方向の各々に対するリンク品質ファクターを決定することと、
前記リンク品質ファクターに基づいて、前記複数の方向から好ましい方向を識別することと、
前記好ましい方向を具備するフィードバックを送信することとをさらに具備するＣ１記載の方法。
［Ｃ１１］
前記フィードバックは、
前記好ましい方向に対応するリンク品質ファクターをさらに具備するＣ１０記載の方法。
［Ｃ１２］
前記リンク品質ファクターは、
信号強さ、信号対雑音比、および信号対雑音干渉比の少なくとも１つに基づいているＣ１０記載の方法。
［Ｃ１３］
各クアジオムニパケットは、
クアジオムニパケットの少なくとも１つと、
クアジオムニパケットの数と、
クアジオムニ方向の全体の数とを具備するＣ１記載の方法。
［Ｃ１４］
第１のデバイスから、複数のクアジオムニパターンで送信された複数のクアジオムニパケットの少なくとも１つのクアジオムニパケットを検出することと、
前記第１のデバイスから、指向性のパターンで送信されたプリアンブルを検出することと、
検出されたクアジオムニパターンおよび検出された指向性のパターンの少なくとも１つを具備する好ましいパターンを決定することと、
前記好ましいパターンを具備するフィードバックを、前記第１のデバイスに送信することとを具備する通信の方法。
［Ｃ１５］
各クアジオムニパケットは、
ビーコンを具備するＣ１４記載の方法。
［Ｃ１６］
前記検出は、
第２のデバイスの複数のクアジオムニパターンに渡って掃引することを具備するＣ１４記載の方法。
［Ｃ１７］
前記検出は、
第２のデバイスの複数の指向性のパターンに渡って掃引することを具備するＣ１４記載の方法。
［Ｃ１８］
複数のクアジオムニパケットおよび複数のプリアンブルが、ビーム形成プロファイルを決定するために使用されており、
各クアジオムニパケットが特有のクアジオムニパターンで送信されている前記複数のクアジオムニパケットを、第１のデバイスから送信する手段と、
各プリアンブルが複数の指向性のパターンの１つで送信されている前記複数のプリアンブルを、前記第１のデバイスから送信する手段とを具備する通信装置。
［Ｃ１９］
前記複数の指向性のパターンは、１つの特有のクアジオムニパターンに基づいているＣ１８記載の通信装置。
［Ｃ２０］
前記１つの特有のクアジオムニパターンは、
少なくとも１つのクアジオムニパケットを受信している第２のデバイスによって識別されるＣ１９記載の通信装置。
［Ｃ２１］
各クアジオムニパターンは、
各指向性のパターンのカバレージよりも広いカバレージを有するＣ１８記載の通信装置。
［Ｃ２２］
各クアジオムニパターンは、
複数のセクタの１つと、
複数の方向の１つと、
交換アンテナアレイの複数のパターンの１つとの少なくとも１つを具備するＣ１８記載の通信装置。
［Ｃ２３］
前記複数のクアジオムニパケットの少なくとも１つは、
ビーコンを具備するＣ１８記載の通信装置。
［Ｃ２４］
要求されたパターンが、
選択されたクアジオムニパターンと、選択された指向性のパターンとの少なくとも１つを具備しており、前記要求されたパターンを具備する第２のデバイスから関係付け要求を受信する手段と、
前記要求されたパターンに基づいて、前記第２のデバイスに対する全ての将来の通信を送信する手段とをさらに具備するＣ１８記載の通信装置。
［Ｃ２５］
前記要求されたパターンは、
前記第２のデバイスによって識別されたリンク品質ファクターに基づいて選択されるＣ２４記載の通信装置。
［Ｃ２６］
前記リンク品質ファクターは、
信号強さ、信号対雑音比、および信号対雑音干渉比の少なくとも１つに基づいているＣ２６記載の通信装置。
［Ｃ２７］
前記第１のデバイスで、複数の方向からのプリアンブルをモニタする手段と、
前記プリアンブルに基づいて、前記複数の方向の各々に対するリンク品質ファクターを決定する手段と、
前記リンク品質ファクターに基づいて、前記複数の方向から好ましい方向を識別する手段と、
前記好ましい方向を具備するフィードバックを送信する手段とをさらに具備するＣ１８記載の通信装置。
［Ｃ２８］
前記フィードバックは、
前記好ましい方向に対応するリンク品質ファクターをさらに具備するＣ２７記載の通信装置。
［Ｃ２９］
前記リンク品質ファクターは、
信号強さ、信号対雑音比、および信号対雑音干渉比の少なくとも１つに基づいているＣ２８記載の通信装置。
［Ｃ３０］
各クアジオムニパケットは、
クアジオムニパケットの少なくとも１つと、
クアジオムニパケットの数と、
クアジオムニ方向の全体の数とを具備するＣ１８記載の通信装置。
［Ｃ３１］
第１のデバイスから、複数のクアジオムニパターンで送信された複数のクアジオムニパケットの少なくとも１つのクアジオムニパケットを検出する手段と、
第１のデバイスから、指向性のパターンで送信されたプリアンブルを検出する手段と、
検出されたクアジオムニパターンおよび検出された指向性のパターンの少なくとも１つを具備する好ましいパターンを決定する手段と、
前記好ましいパターンを具備するフィードバックを、前記第１のデバイスに送信する手段とを具備する通信用通信装置。
［Ｃ３２］
各クアジオムニパケットは、
ビーコンを具備するＣ３１記載の通信装置。
［Ｃ３３］
前記検出手段は、
第２のデバイスの複数のクアジオムニパターンに渡って掃引する手段を具備するＣ３１記載の通信装置。
［Ｃ３４］
前記検出手段は、
第２のデバイスの複数の指向性のパターンに渡って掃引する手段を具備するＣ３１記載の通信装置。
［Ｃ３５］
複数のクアジオムニパケットおよび複数のプリアンブルが、ビーム形成プロファイルを決定するために使用されており、
各クアジオムニパケットが特有のクアジオムニパターンで送信されている前記複数のクアジオムニパケットを、第１のデバイスから送信し、
各プリアンブルが複数の指向性のパターンの１つで送信されている前記複数のプリアンブルを、前記第１のデバイスから送信するように構成された処理システムを具備する通信装置。
［Ｃ３６］
前記複数の指向性のパターンは、
１つの特有のクアジオムニパターンに基づいているＣ３５記載の通信装置。
［Ｃ３７］
前記１つの特有のクアジオムニパターンは、
少なくとも１つのクアジオムニパケットを受信している第２のデバイスによって識別されるＣ３６記載の通信装置。
［Ｃ３８］
各クアジオムニパターンは、
各指向性のパターンのカバレージよりも広いカバレージを有するＣ３５記載の通信装置。
［Ｃ３９］
各クアジオムニパターンは、
複数のセクタの１つと、
複数の方向の１つと、
交換アンテナアレイの複数のパターンの１つとの少なくとも１つを具備するＣ３５記載の通信装置。
［Ｃ４０］
前記複数のクアジオムニパケットの少なくとも１つは、
ビーコンを具備するＣ３５記載の通信装置。
［Ｃ４１］
前記処理システムは、
要求されたパターンが、選択されたクアジオムニパターンと、選択された指向性のパターンとの少なくとも１つを具備しており、前記要求されたパターンを具備する第２のデバイスから関係付け要求を受信し、
前記要求されたパターンに基づいて、前記第２のデバイスに対する全ての将来の通信を送信するようにさらに構成されたＣ３５記載の通信装置。
［Ｃ４２］
前記要求されたパターンは、
前記第２のデバイスによって識別されたリンク品質ファクターに基づいて選択されるＣ４１記載の通信装置。
［Ｃ４３］
前記リンク品質ファクターは、
信号強さ、信号対雑音比、および信号対雑音干渉比の少なくとも１つに基づいているＣ４２記載の通信装置。
［Ｃ４４］
前記処理システムは、
前記第１のデバイスで、複数の方向からのプリアンブルをモニタし、
前記プリアンブルに基づいて、前記複数の方向の各々に対するリンク品質ファクターを決定し、
前記リンク品質ファクターに基づいて、前記複数の方向から好ましい方向を識別し、および、
前記好ましい方向を具備するフィードバックを送信するようにさらに構成されたＣ４２記載の通信装置。
［Ｃ４５］
前記フィードバックは、
前記好ましい方向に対応するリンク品質ファクターをさらに具備するＣ４４記載の通信装置。
［Ｃ４６］
前記リンク品質ファクターは、
信号強さ、信号対雑音比、および信号対雑音干渉比の少なくとも１つに基づいているＣ４４記載の通信装置。
［Ｃ４７］
各クアジオムニパケットは、
クアジオムニパケットの少なくとも１つと、
クアジオムニパケットの数と、
クアジオムニ方向の全体の数とを具備するＣ３５記載の通信装置。
［Ｃ４８］
第１のデバイスから、複数のクアジオムニパターンで送信された複数のクアジオムニパケットの少なくとも１つのクアジオムニパケットを検出し、
第１のデバイスから、指向性のパターンで送信されたプリアンブルを検出し、
検出されたクアジオムニパターンおよび検出された指向性のパターンの少なくとも１つを具備する好ましいパターンを決定し、および、
前記好ましいパターンを具備するフィードバックを、前記第１のデバイスに送信するように構成された処理システムを具備する通信用通信装置。
［Ｃ４９］
各クアジオムニパケットは、
ビーコンを具備するＣ４８記載の通信装置。
［Ｃ５０］
前記処理システムは、
第２のデバイスの複数のクアジオムニパターンに渡って掃引するようにさらに構成されたＣ４８記載の通信装置。
［Ｃ５１］
前記処理システムは、
第２のデバイスの複数の指向性のパターンに渡って掃引するようにさらに構成されたＣ４８記載の通信装置。
［Ｃ５２］
複数のクアジオムニパケットおよび複数のプリアンブルが、ビーム形成プロファイルを決定するために使用されており、
各クアジオムニパケットが特有のクアジオムニパターンで送信されている前記複数のクアジオムニパケットを、第１のデバイスから送信し、
各プリアンブルが複数の指向性のパターンの１つで送信されている前記複数のプリアンブルを、前記第１のデバイスから送信するように実行可能な命令を持ってエンコードされた機械読み出し可能な媒体を具備するワイヤレス通信用コンピュータプログラム製品。
［Ｃ５３］
第１のデバイスから、複数のクアジオムニパターンで送信された複数のクアジオムニパケットの少なくとも１つのクアジオムニパケットを検出し、
前記第１のデバイスから、指向性のパターンで送信されたプリアンブルを検出し、
検出されたクアジオムニパターンおよび検出された指向性のパターンの少なくとも１つを具備する好ましいパターンを決定し、および、
前記好ましいパターンを具備するフィードバックを、前記第１のデバイスに送信するように実行可能な命令を持ってエンコードされた機械読み出し可能な媒体を具備するワイヤレス通信用コンピュータプログラム製品。
［Ｃ５４］
アンテナと、
複数のクアジオムニパケットおよび複数のプリアンブルが、ビーム形成プロファイルを決定するために使用されており、
各クアジオムニパケットが特有のクアジオムニパターンで送信されている前記複数のクアジオムニパケットを、アンテナを使用して、第１のデバイスから送信し、および、
各プリアンブルが複数の指向性のパターンの１つで送信されている前記複数のプリアンブルを、アンテナを使用して、前記第１のデバイスから送信するように構成された処理システムとを具備するピコネットコーディネータ。
［Ｃ５５］
アンテナと、
第１のデバイスから、複数のクアジオムニパターンで送信された複数のクアジオムニパケットの少なくとも１つのクアジオムニパケットを検出し、
前記第１のデバイスから、指向性のパターンで送信されたプリアンブルを検出し、
検出されたクアジオムニパターンおよび検出された指向性のパターンの少なくとも１つを具備する好ましいパターンを決定し、および、
前記好ましいパターンを具備するフィードバックを、前記アンテナを使用して、前記第１のデバイスに送信するように構成された処理システムとを具備する通信デバイス。
【外国語明細書】
2014112894000001.pdf